(57)【特許請求の範囲】
【請求項１】
符号化ビットストリームに含まれる画像データをブロック毎に復号する画像復号方法であって、
復号対象ブロックの復号において参照する予測方向番号、動きベクトルおよび参照ピクチャインデックスの候補であるマージ候補であって、２以上の固定数のマージ候補を取得する場合のマージ候補取得ステップと、
前記２以上の固定数のマージ候補から前記復号対象ブロックの復号において参照するマージ候補を特定するためのインデックスを、前記符号化ビットストリームから取得するインデックス取得ステップと、
取得した前記インデックスを用いて前記マージ候補を特定し、特定した前記マージ候補を用いて前記復号対象ブロックを復号する復号ステップとを含み、
前記２以上の固定数のマージ候補は、前記復号対象ブロックに空間的または時間的に隣接する隣接ブロックの復号に用いられた予測方向番号、動きベクトルおよび参照ピクチャインデックスに基づいて導出された少なくとも１つの第一の候補と、予め定められた固定値を持つ少なくとも１つの第二の候補とを含み、
前記少なくとも１つの第二の候補は、第一固定値を持つ動きベクトルと第二固定値を持つ参照ピクチャインデックスを有し、
前記２以上の固定数は、前記復号対象ブロックを含むスライスにおいて固定されている
画像復号方法。
【請求項２】
前記マージ候補取得ステップは、
前記第一の候補を導出し、前記２以上の固定数のマージ候補の一部として追加する第一導出ステップと、
前記第一の候補の数が、前記２以上の固定数より小さい場合に、前記復号対象ブロックの復号において参照可能なピクチャに対するピクチャインデックスを持つ、少なくとも１つの第三の候補を導出し、前記２以上の固定数のマージ候補の一部として追加する第二導出ステップと、
前記第一の候補の数および前記第三の候補の数の合計が、前記２以上の固定数より小さい場合に、前記第一の候補の数、前記第二の候補の数および前記第三の候補の数の合計が、前記２以上の固定数と等しくなるように、少なくとも１つの前記第二の候補を前記２以上の固定数のマージ候補の一部として追加する第三導出ステップと、を有する
請求項１に記載の画像復号方法。
【請求項３】
前記第二導出ステップでは、予め用意された複数の異なる候補から、所定の優先順位に従って少なくとも１つの候補を選択することにより、少なくとも１つの前記第三の候補を導出する
請求項２に記載の画像復号方法。
【請求項４】
前記マージ候補取得ステップは、
前記２以上の固定数のマージ候補の全てに前記第二の候補を設定することにより、前記２以上の固定数のマージ候補を初期化する初期化ステップと、
少なくとも１つの前記第一の候補を導出し、前記２以上の固定数のマージ候補の一部として更新する第一導出ステップと、
前記第一の候補の数が、前記２以上の固定数より小さい場合に、前記復号対象ブロックの復号において参照可能なピクチャに対するピクチャインデックスを持つ、少なくとも１つの第三の候補を導出し、前記２以上の固定数のマージ候補の一部として更新する第二導出ステップと、を有する
請求項１に記載の画像復号方法。
【請求項５】
前記第一固定値はゼロ、前記第二固定値はゼロ、である
請求項１に記載の画像復号方法。
【請求項６】
符号化ビットストリームに含まれる画像データをブロック毎に復号する画像復号装置であって、
復号対象ブロックの復号において参照する予測方向番号、動きベクトルおよび参照ピクチャインデックスの候補であるマージ候補であって、２以上の固定数のマージ候補を取得する場合のマージ候補取得部と、
前記２以上の固定数のマージ候補から前記復号対象ブロックの復号において参照するマージ候補を特定するためのインデックスを、前記符号化ビットストリームから取得するインデックス取得部と、
取得した前記インデックスを用いて前記マージ候補を特定し、特定した前記マージ候補を用いて前記復号対象ブロックを復号する復号部とを備え、
前記２以上の固定数のマージ候補は、前記復号対象ブロックに空間的または時間的に隣接する隣接ブロックの復号に用いられた予測方向番号、動きベクトルおよび参照ピクチャインデックスに基づいて導出された少なくとも１つの第一の候補と、予め定められた固定値を持つ少なくとも１つの第二の候補とを含み、
前記少なくとも１つの第二の候補は、第一固定値を持つ動きベクトルと第二固定値を持つ参照ピクチャインデックスを有し、
前記２以上の固定数は、前記復号対象ブロックを含むスライスにおいて固定されている
画像復号装置。
【発明の詳細な説明】
【技術分野】
【０００１】
本発明は、動画像符号化方法および動画像復号方法に関する。
【背景技術】
【０００２】
動画像符号化処理では、一般に、動画像が有する空間方向および時間方向の冗長性を利用して情報量の圧縮が行われる。ここで一般に、空間方向の冗長性を利用する方法としては、周波数領域への変換が用いられる。また、時間方向の冗長性を利用する方法としては、ピクチャ間予測（以降、「インター予測」と呼ぶ）符号化処理が用いられる。インター予測符号化処理では、あるピクチャを符号化する際に、符号化対象ピクチャに対して表示時間順で前方または後方にある符号化済みのピクチャが、参照ピクチャとして用いられる。そして、その参照ピクチャに対する符号化対象ピクチャの動き検出により、動きベクトルが導出される。そして、導出された動きベクトルに基づいて動き補償を行って得られた予測画像データと符号化対象ピクチャの画像データとの差分を算出することにより、時間方向の冗長性が取り除かれる（例えば、非特許文献１参照）。ここで、動き検出では、符号化ピクチャ内の符号化対象ブロックと、参照ピクチャ内のブロックとの差分値を算出し、最も差分値の小さい参照ピクチャ内のブロックが参照ブロックとして決定される。そして、符号化対象ブロックと、参照ブロックとを用いて、動きベクトルが検出される。
【先行技術文献】
【非特許文献】
【０００３】
【非特許文献１】ＩＴＵ−Ｔ  Ｒｅｃｏｍｍｅｎｄａｔｉｏｎ  Ｈ．２６４「Ａｄｖａｎｃｅｄ  ｖｉｄｅｏ  ｃｏｄｉｎｇ  ｆｏｒ  ｇｅｎｅｒｉｃ  ａｕｄｉｏｖｉｓｕａｌ  ｓｅｒｖｉｃｅｓ」、２０１０年３月
【非特許文献２】ＪＣＴ-ＶＣ,“ＷＤ３: Ｗｏｒｋｉｎｇ  Ｄｒａｆｔ  ３  ｏｆ  Ｈｉｇｈ-Ｅｆｆｉｃｉｅｎｃｙ  Ｖｉｄｅｏ Ｃｏｄｉｎｇ”,  ＪＣＴＶＣ-Ｅ６０３, Ｍａｒｃｈ ２０１１.
【発明の概要】
【発明が解決しようとする課題】
【０００４】
しかしながら、上記従来の技術では、インター予測を用いた画像符号化および復号において、エラー耐性を向上させることが望まれている。【０００５】
そこで、本発明の目的は、インター予測を用いた画像符号化および復号において、エラー耐性を向上させることができる画像符号化方法および画像復号方法を提供することである。
【課題を解決するための手段】
【０００６】
本発明の一態様に係る画像復号方法は、符号化ビットストリームに含まれる画像データをブロック毎に復号する画像復号方法であって、復号対象ブロックの復号において参照する予測方向番号、動きベクトルおよび参照ピクチャインデックスの候補であるマージ候補であって、２以上の固定数のマージ候補を取得する場合のマージ候補取得ステップと、前記２以上の固定数のマージ候補から前記復号対象ブロックの復号において参照するマージ候補を特定するためのインデックスを、前記符号化ビットストリームから取得するインデックス取得ステップと、取得した前記インデックスを用いて前記マージ候補を特定し、特定した前記マージ候補を用いて前記復号対象ブロックを復号する復号ステップとを含み、前記２以上の固定数のマージ候補は、前記復号対象ブロックに空間的または時間的に隣接する隣接ブロックの復号に用いられた予測方向番号、動きベクトルおよび参照ピクチャインデックスに基づいて導出された少なくとも１つの第一の候補と、予め定められた固定値を持つ少なくとも１つの第二の候補とを含み、前記少なくとも１つの第二の候補は、第一固定値を持つ動きベクトルと第二固定値を持つ参照ピクチャインデックスを有し、前記２以上の固定数は、前記復号対象ブロックを含むスライスにおいて固定されている。
【０００７】
なお、これらの全般的または具体的な態様は、システム、方法、集積回路、コンピュータプログラムまたはコンピュータ読み取り可能なＣＤ−ＲＯＭ（Ｃｏｍｐａｃｔ  Ｄｉｓｃ  Ｒｅａｄ  Ｏｎｌｙ  Ｍｅｍｏｒｙ）などの記録媒体で実現されてもよく、システム、方法、集積回路、コンピュータプログラムおよび記録媒体の任意な組み合わせで実現されてもよい。
【発明の効果】
【０００８】
本発明の一態様によれば、インター予測を用いた画像符号化および復号において、エラー耐性を向上させることが可能になる。
【図面の簡単な説明】
【０００９】
【図１Ａ】図１Ａは、Ｂピクチャにおける参照ピクチャリストの一例を説明するための図である。
【図１Ｂ】図１Ｂは、Ｂピクチャにおける予測方向０の参照ピクチャリストの一例を示す図である。
【図１Ｃ】図１Ｃは、Ｂピクチャにおける予測方向１の参照ピクチャリストの一例を示す図である。
【図２】図２は、時間予測動きベクトルモードにおける動きベクトルを説明するための図である。
【図３】図３は、マージモードにおいて用いられる隣接ブロックの動きベクトルの一例を示す図である。
【図４】図４は、マージブロック候補リストの一例を説明するための図である。
【図５】図５は、マージブロック候補サイズとマージブロックインデックスに割り当てられるビット列との関係を示す図である。
【図６】図６は、マージモードを用いる場合の符号化処理の一例を示すフローチャートである。
【図７】図７は、画像符号化装置の構成を示すブロック図である。
【図８】図８は、マージモードを用いる場合の復号処理を示すフローチャートである。
【図９】図９は、画像復号装置の構成を示すブロック図である。
【図１０】図１０は、マージブロックインデックスを符号化ビットストリームに付加させる際のシンタックスを表す図である。
【図１１】図１１は、実施の形態１に係る画像符号化装置の構成を示すブロック図である。
【図１２】図１２は、実施の形態１に係る画像符号化装置の処理動作を示すフローチャートである。
【図１３Ａ】図１３Ａは、実施の形態１におけるマージブロック候補リストの一例を示す図である。
【図１３Ｂ】図１３Ｂは、実施の形態の変形例におけるマージブロック候補リストの一例を示す図である。
【図１３Ｃ】図１３Ｃは、実施の形態の変形例におけるマージブロック候補リストの一例を示す図である。
【図１４Ａ】図１４Ａは、実施の形態１におけるマージブロック候補およびマージブロック候補リストサイズの算出処理を示すフローチャートである。
【図１４Ｂ】図１４Ｂは、実施の形態の変形例におけるマージブロック候補およびマージブロック候補リストサイズの算出処理を示すフローチャートである。
【図１４Ｃ】図１４Ｃは、実施の形態の変形例におけるマージブロック候補およびマージブロック候補リストサイズの算出処理を示すフローチャートである。
【図１５Ａ】図１５Ａは、実施の形態１におけるマージブロック候補がマージ可能候補かどうかを判定し、マージ可能候補数を更新する処理を示すフローチャートである。
【図１５Ｂ】図１５Ｂは、実施の形態の変形例におけるマージブロック候補がマージ可能候補かどうかを判定し、マージ可能候補数を更新する処理を示すフローチャートである。
【図１６】図１６は、実施の形態１における新規候補の追加処理を示すフローチャートである。
【図１７】図１７は、実施の形態の変形例における第二の候補の追加処理を示すフローチャートである。
【図１８】図１８は、実施の形態１におけるマージブロック候補の選択に関する処理を示すフローチャートである。
【図１９】図１９は、実施の形態２に係る画像復号装置の構成を示すブロック図である。
【図２０】図２０は、実施の形態２に係る画像復号装置の処理動作を示すフローチャートである。
【図２１】図２１は、実施の形態２におけるマージブロック候補がマージ可能候補かどうかを判定し、マージ可能候補数を更新する処理を示すフローチャートである。
【図２２】図２２は、実施の形態２におけるマージブロック候補リストを生成する処理を示すフローチャートである。
【図２３】図２３は、マージブロックインデックスを符号化ビットストリームに付加する際のシンタックスの一例を示す図である。
【図２４】図２４は、マージブロック候補リストサイズをマージブロック候補数の最大値に固定した場合のシンタックスの一例を示す図である。
【図２５】図２５は、コンテンツ配信サービスを実現するコンテンツ供給システムの全体構成図である。
【図２６】図２６は、デジタル放送用システムの全体構成図である。
【図２７】図２７は、テレビの構成例を示すブロック図である。
【図２８】図２８は、光ディスクである記録メディアに情報の読み書きを行う情報再生／記録部の構成例を示すブロック図である。
【図２９】図２９は、光ディスクである記録メディアの構造例を示す図である。
【図３０Ａ】図３０Ａは、携帯電話の一例を示す図である。
【図３０Ｂ】図３０Ｂは、携帯電話の構成例を示すブロック図である。
【図３１】図３１は、多重化データの構成を示す図である。
【図３２】図３２は、各ストリームが多重化データにおいてどのように多重化されているかを模式的に示す図である。
【図３３】図３３は、ＰＥＳパケット列に、ビデオストリームがどのように格納されるかを更に詳しく示した図である。
【図３４】図３４は、多重化データにおけるＴＳパケットとソースパケットの構造を示す図である。
【図３５】図３５は、ＰＭＴのデータ構成を示す図である。
【図３６】図３６は、多重化データ情報の内部構成を示す図である。
【図３７】図３７は、ストリーム属性情報の内部構成を示す図である。
【図３８】図３８は、映像データを識別するステップを示す図である。
【図３９】図３９は、各実施の形態の動画像符号化方法および動画像復号化方法を実現する集積回路の構成例を示すブロック図である。
【図４０】図４０は、駆動周波数を切り替える構成を示す図である。
【図４１】図４１は、映像データを識別し、駆動周波数を切り替えるステップを示す図である。
【図４２】図４２は、映像データの規格と駆動周波数を対応づけたルックアップテーブルの一例を示す図である。
【図４３Ａ】図４３Ａは、信号処理部のモジュールを共有化する構成の一例を示す図である。
【図４３Ｂ】図４３Ｂは、信号処理部のモジュールを共有化する構成の他の一例を示す図である。
【発明を実施するための形態】
【００１０】
（本発明の基礎となった知見）
既に標準化されている、Ｈ．２６４と呼ばれる動画像符号化方式では、情報量の圧縮のために、Ｉピクチャ、Ｐピクチャ、Ｂピクチャという３種類のピクチャタイプが用いられている。
【００１１】
Ｉピクチャは、インター予測符号化処理で符号化されない。すなわち、Ｉピクチャは、ピクチャ内予測（以降、「イントラ予測」と呼ぶ）符号化処理で符号化される。Ｐピクチャは、表示時間順で、符号化対象ピクチャの前方または後方にある既に符号化済みの１つのピクチャを参照してインター予測符号化される。Ｂピクチャは、表示時間順で、符号化対象ピクチャの前方または後方にある既に符号化済みの２つのピクチャを参照してインター予測符号化される。
【００１２】
インター予測符号化においては、参照ピクチャを特定するための参照ピクチャリストが生成される。参照ピクチャリストは、インター予測で参照する符号化済みの参照ピクチャに参照ピクチャインデックスを割り当てたリストである。例えば、Ｂピクチャでは、２つのピクチャを参照して符号化を行えるため、２つの参照ピクチャリスト（Ｌ０、Ｌ１）が生成される。
【００１３】
図１Ａは、Ｂピクチャにおける参照ピクチャリストの一例を説明するための図である。図１Ｂは、双方向予測における予測方向０の参照ピクチャリスト０（Ｌ０）の一例を示す。ここでは、参照ピクチャリスト０において、参照ピクチャインデックス０の値０は、表示順２の参照ピクチャ０に割り当てられている。また、参照ピクチャインデックス０の値１は、表示順１の参照ピクチャ１に割り当てられている。また、参照ピクチャインデックス０の値２は、表示順０の参照ピクチャ２が割り当てられている。つまり、符号化対象ピクチャに対して表示順で時間的に近い参照ピクチャほど、小さい値を有する参照ピクチャインデックスが割り当てられている。
【００１４】
一方、図１Ｃは、双方向予測における予測方向１の参照ピクチャリスト１（Ｌ１）の一例を示す。ここでは、参照ピクチャリスト１において、参照ピクチャインデックス１の値０は、表示順１の参照ピクチャ１に割り当てられている。また、参照ピクチャインデックス１の値１は、表示順２の参照ピクチャ０に割り当てられている。また、参照ピクチャインデックス１の値２は、表示順０の参照ピクチャ２に割り当てられている。
【００１５】
このように、各参照ピクチャに対して、予測方向毎に異なる参照ピクチャインデックスの値を割り当てること（図１Ａの参照ピクチャ０、１）、あるいは同じ参照ピクチャインデックスの値を割り当てることが可能である（図１Ａの参照ピクチャ２）。
【００１６】
また、Ｈ．２６４と呼ばれる動画像符号化方式（非特許文献１）では、Ｂピクチャにおける各符号化対象ブロックのインター予測の符号化モードとして、動きベクトル検出モードが用いられる。動きベクトル検出モードでは、予測画像データおよび符号化対象ブロックの画像データの差分値と、予測画像データ生成に用いた動きベクトルとが符号化される。また、動きベクトル検出モードでは、予測方向として、双方向予測と片方向予測とを選択することができる。双方向予測では、符号化対象ピクチャの前方または後方にある既に符号化済みの２つのピクチャを参照して予測画像が生成される。片方向予測では、前方または後方にある既に符号化済みの１つのピクチャを参照して予測画像が生成される。
【００１７】
また、Ｈ．２６４と呼ばれる動画像符号化方式では、Ｂピクチャの符号化において、動きベクトルを導出する際に、時間予測動きベクトルモードと呼ばれる符号化モードを選択することができる。時間予測動きベクトルモードにおけるインター予測符号化方法を、図２を用いて説明する。図２は、時間予測動きベクトルモードにおける動きベクトルを説明するための図である。具体的には、図２は、ピクチャＢ２のブロックａを時間予測動きベクトルモードで符号化する場合を示している。
【００１８】
ここでは、ピクチャＢ２の後方にある参照ピクチャであるピクチャＰ３内の、ブロックａと同じ位置にあるブロックｂ（以下、「ｃｏ−ｌｏｃａｔｅｄブロック」と呼ぶ）の符号化に用いられた動きベクトルｖｂが利用されている。動きベクトルｖｂは、ブロックｂがピクチャＰ１を参照して符号化された際に用いられた動きベクトルである。
【００１９】
動きベクトルｖｂに平行な動きベクトルを用いて、前方向参照ピクチャであるピクチャＰ１と、後方参照ピクチャであるピクチャＰ３とから、ブロックａのための２つの参照ブロックが取得される。そして、取得された２つの参照ブロックに基づいて２方向予測を行うことにより、ブロックａが符号化される。すなわち、ブロックａを符号化する際に用いられる動きベクトルは、ピクチャＰ１に対しては動きベクトルｖａ１であり、ピクチャＰ３に対しては動きベクトルｖａ２である。
【００２０】
また、ＢピクチャあるいはＰピクチャにおける各符号化対象ブロックのインター予測モードとして、マージモードが検討されている（非特許文献２）。マージモードでは、符号化対象ブロックの隣接ブロックの符号化に用いられた予測方向、動きベクトルおよび参照ピクチャインデックスをコピーして、符号化対象ブロックの符号化が行われる。この際に、コピーに用いられた隣接ブロックのインデックス等が符号化ビットストリーム（以下、適宜「ビットストリーム」と略称する）に付加される。これにより、符号化に用いられた動き方向、動きベクトルおよび参照ピクチャインデックスを復号側で選択できるようになる。具体例を、図３を参照して説明する。
【００２１】
図３は、マージモードにおいて用いられる隣接ブロックの動きベクトルの一例を示す図である。図３において、隣接ブロックＡは、符号化対象ブロックの左隣接の符号化済みブロックである。隣接ブロックＢは、符号化対象ブロックの上隣接の符号化済みブロックである。隣接ブロックＣは、符号化対象ブロックの右上隣接の符号化済みブロックである。隣接ブロックＤは、符号化対象ブロックの左下隣接の符号化済みブロックである。
【００２２】
また、隣接ブロックＡは、予測方向０の片方向予測で符号化されたブロックである。隣接ブロックＡは、予測方向０の参照ピクチャインデックスＲｅｆＬ０＿Ａが示す参照ピクチャに対する動きベクトルとして、予測方向０の動きベクトルＭｖＬ０＿Ａを持つ。ここで、ＭｖＬ０とは、参照ピクチャリスト０（Ｌ０）により特定される参照ピクチャを参照する動きベクトルを示す。また、ＭｖＬ１とは、参照ピクチャリスト１（Ｌ１）により特定される参照ピクチャを参照する動きベクトルを示す。
【００２３】
また、隣接ブロックＢは、予測方向１の片方向予測で符号化されたブロックである。隣接ブロックＢは、予測方向１の参照ピクチャインデックスＲｅｆＬ１＿Ｂが示す参照ピクチャに対する動きベクトルとして、予測方向１の動きベクトルＭｖＬ１＿Ｂを持つ。
【００２４】
また、隣接ブロックＣは、イントラ予測で符号化されたブロックである。
【００２５】
また、隣接ブロックＤは、予測方向０の片方向予測で符号化されたブロックである。隣接ブロックＤは、予測方向０の参照ピクチャインデックスＲｅｆＬ０＿Ｄが示す参照ピクチャに対する動きベクトルとして、予測方向０の動きベクトルＭｖＬ０＿Ｄを持つ。
【００２６】
このような場合では、例えば、隣接ブロックＡ〜Ｄの予測方向、動きベクトルおよび参照ピクチャインデックス、および、ｃｏ−ｌｏｃａｔｅｄブロックを用いて求めた時間予測動きベクトルモードによる予測方向、動きベクトルおよび参照ピクチャインデックスの中から、符号化対象ブロックの予測方向、動きベクトルおよび参照ピクチャインデックスとして、最も符号化効率の良いものが選択される。そして、選択された予測方向、動きベクトルおよび参照ピクチャインデックスのブロックを表すマージブロックインデックスがビットストリームに付加される。
【００２７】
例えば、隣接ブロックＡが選択された場合、符号化対象ブロックは、予測方向０の動きベクトルＭｖＬ０＿Ａおよび参照ピクチャインデックスＲｅｆＬ０＿Ａを用いて符号化される。そして、図４に示すような隣接ブロックＡを用いたことを表すマージブロックインデックスの値０のみがビットストリームに付加される。これにより、予測方向、動きベクトルおよび参照ピクチャインデックスの情報量を削減できる。
【００２８】
また、図４に示すように、マージモードでは、符号化に用いることが不可能な候補（以下、「マージ不可能候補」と呼ぶ）、あるいは、予測方向、動きベクトルおよび参照ピクチャインデックスの組合せが互いに一致する候補（以下、「重複候補」と呼ぶ）が、マージブロック候補から削除される。
【００２９】
このように、マージブロック候補数を削減することで、マージブロックインデックスに割り当てる符号量が削減される。ここで、マージが不可能であるということは、マージブロック候補が、（１）イントラ予測で符号化されたブロックであること、（２）符号化対象ブロックを含むスライスあるいはピクチャ境界外のブロックであること、または、（３）まだ符号化されていないブロックであること等を表している。
【００３０】
図４の例では、隣接ブロックＣがイントラ予測で符号化されている。そのため、マージブロックインデックス３のマージブロック候補は、マージ不可能候補であり、マージブロック候補リストから削除される。また、隣接ブロックＤは、隣接ブロックＡと、予測方向、動きベクトル、および、参照ピクチャインデックスが一致している。そのため、マージブロックインデックス４のマージブロック候補は、マージブロック候補リストから削除される。その結果、最終的に、マージブロック候補数は３となり、マージブロック候補リストのリストサイズは３に設定される。
【００３１】
マージブロックインデックスは、マージブロック候補リストサイズの大きさに応じて、図５に示すように、ビット列が割り当てられ、可変長符号化される。このように、マージモードでは、マージモードインデックスに割り当てるビット列を、マージブロック候補リストサイズの大きさによって変化させることにより、符号量を削減している。
【００３２】
図６は、マージモードを用いる場合の符号化処理の一例を示すフローチャートである。ステップＳ１００１では、隣接ブロックおよびｃｏ−ｌｏｃａｔｅｄブロックから、マージブロック候補の動きベクトル、参照ピクチャインデックスおよび予測方向が取得される。ステップＳ１００２では、マージブロック候補から重複候補およびマージ不可能候補が削除される。ステップＳ１００３では、削除処理後のマージブロック候補数が、マージブロック候補リストサイズに設定される。ステップＳ１００４では、符号化対象ブロックの符号化に用いるマージブロックインデックスが決定される。ステップＳ１００５において、決定されたマージブロックインデックスが、マージブロック候補リストサイズによって決められたビット列を用いて可変長符号化される。
【００３３】
図７は、マージモードを用いる場合の画像符号化装置の一例を示すブロック図である。図７において、マージブロック候補算出部は、マージブロック候補リストを導出し（ステップＳ１００１、Ｓ１００２）、マージブロック候補数を可変長符号化部に送信する。可変長符号化部は、マージブロック候補数をマージブロック候補リストサイズに設定する（ステップＳ１００３）。さらに、可変長符号化部は、符号化対象ブロックの符号化に用いるマージブロックインデックスを決定する（ステップＳ１００４）。さらに、可変長符号化部は、決定したマージブロックインデックスを、マージブロック候補リストサイズに応じたビット列を用いて可変長符号化する（ステップＳ１００５）。
【００３４】
図８は、マージモードを用いる場合の復号処理の一例を示すフローチャートである。ステップＳ２００１では、隣接ブロックおよびｃｏ−ｌｏｃａｔｅｄブロックから、マージブロック候補の動きベクトル、参照ピクチャインデックスおよび予測方向が取得される。ステップＳ２００２では、マージブロック候補から重複候補およびマージ不可能候補が削除される。ステップＳ２００３では、削除処理後のマージブロック候補数が、マージブロック候補リストサイズに設定される。ステップＳ２００４では、ビットストリームから、復号対象ブロックの復号に用いるマージブロックインデックスが、マージブロック候補リストサイズを用いて復号される。ステップＳ２００５において、復号されたマージブロックインデックが示すマージブロック候補を用いて、予測画像が生成され、復号処理が行われる。
【００３５】
図９は、マージモードを用いる場合の画像復号装置の一例を示すブロック図である。図９において、マージブロック候補算出部は、マージブロック候補リストを導出し（ステップＳ２００１、ステップＳ２００２）、マージブロック候補数を可変長復号部に送信する。可変長復号部は、マージブロック候補数をマージブロック候補リストサイズに設定する（ステップＳ２００３）。さらに、可変長復号部は、ビットストリームから、復号対象ブロックの復号に用いるマージブロックインデックスを、マージブロック候補リストサイズを用いて復号する（ステップＳ２００４）。
【００３６】
図１０は、マージブロックインデックスをビットストリームに付加する際のシンタックスを表す。図１０において、ｍｅｒｇｅ＿ｉｄｘは、マージブロックインデックスを表す。ｍｅｒｇｅ＿ｆｌａｇは、マージフラグを表す。ＮｕｍＭｅｒｇｅＣａｎｄは、マージブロック候補リストサイズを表す。このＮｕｍＭｅｒｇｅＣａｎｄには、マージブロック候補から、マージ不可能候補および重複候補を削除した後のマージブロック候補数が設定されている。
【００３７】
以上のように、マージモードを用いて画像が符号化あるいは復号される。
【００３８】
上述したように、従来のマージモードでは、ｃｏ-ｌｏｃａｔｅｄブロック等を含む参照ピクチャ情報を用いてマージ不可能候補や重複候補を削除してマージブロック候補リストが導出される。そして、削除後のマージブロック候補リストのマージブロック候補数が、マージブロック候補リストサイズに設定される。このため、画像符号化装置と画像復号装置とでマージブロック候補数に不一致が発生した場合等に、マージブロックインデックスに割り当てるビット列に画像符号化装置と画像復号装置で不一致が生じ、ビットストリームを正しく復号できないという問題が生じる。
【００３９】
例えば、伝送路等で発生したパケットロス等により、ｃｏ-ｌｏｃａｔｅｄブロックとして参照していた参照ピクチャの情報をロスした場合、ｃｏ-ｌｏｃａｔｅｄブロックの動きベクトルや参照ピクチャインデックスが不明となるため、ｃｏ-ｌｏｃａｔｅｄブロックから生成するマージブロック候補の情報が不明となる。すると、復号時にマージブロック候補からマージ不可能候補や重複候補を正しく削除することができなくなり、マージブロック候補リストサイズを正しく求めることができず、マージブロックインデックスを正常に復号できなくなる。
【００４０】
なお、上記問題に対しては、マージブロック候補リストサイズを固定することが考えられる。マージブロック候補リストサイズを固定すれば、マージブロック候補リストサイズを求める必要がなくなる。
【００４１】
しかし、マージブロック候補リストサイズを固定すると、空間的に隣接するブロックから導出される候補（重複候補を除くマージ可能候補）および時間的に隣接するブロック（ｃｏ-ｌｏｃａｔｅｄブロック）から導出される候補（第一の候補）の総数が、マージブロック候補リストサイズ以下の場合には、マージブロック候補リストに空き要素が生じることになる。この場合、画像復号装置において、エラー等の発生により、空き要素が参照された場合、予期せぬ動作が実行される可能性があるという問題がある。
【００４２】
そこで、本発明の一態様に係る画像復号方法は、符号化ビットストリームに含まれる画像データをブロック毎に復号する画像復号方法であって、復号対象ブロックの復号において参照する予測方向、動きベクトルおよび参照ピクチャインデックスの候補であるマージ候補であって、２以上の固定数のマージ候補を取得するマージ候補取得ステップと、前記２以上の固定数のマージ候補から前記復号対象ブロックの復号において参照するマージ候補を特定するためのインデックスを、前記符号化ビットストリームから取得するインデックス取得ステップと、取得した前記インデックスを用いて前記マージ候補を特定し、特定した前記マージ候補を用いて前記復号対象ブロックを復号する復号ステップとを含み、前記２以上の固定数のマージ候補は、前記復号対象ブロックに空間的または時間的に隣接する隣接ブロックの復号に用いられた予測方向、動きベクトルおよび参照ピクチャインデックスに基づいて導出された少なくとも１つの第一の候補と、予め定められた固定値を持つ少なくとも１つの第二の候補とを含む。
【００４３】
上記構成の画像復号方法によれば、２以上の固定数のマージ候補を取得する、すなわち、マージブロック候補リストサイズ（以下、適宜「候補リストサイズ」と略称する）を固定し、かつ、第一の候補等を導出した後の空き要素に、第二の候補を入れるので、空き要素が参照された場合でも、予期せぬ動作が実行されるのを防止でき、エラー耐性を向上させることが可能になる。
【００４４】
なお、「予め定められた固定値を持つ」とは、同一のマージブロック候補リスト内において、複数の第二の候補がある場合に、当該複数の第二の候補が、同じ予測方向、動きベクトルおよび参照ピクチャインデックスを持つことを意味している。つまり、異なるマージブロック候補リストの第二候補とは、予測方向、動きベクトルおよび参照ピクチャインデックスが異なっていても構わない。
【００４５】
なお、上記構成の画像復号方法において、符号化効率を高めるための第三の候補を追加するようにしてもよい。この場合においても、第一の候補および第三の候補を導出した後に、空き候補が生じた場合は、マージブロック候補リスト（以下、適宜「候補リスト」と略称する）の空き要素に第二の候補を入れることにより、エラー耐性を向上させることが可能になる。なお、第三の候補は、符号化効率を向上させるための候補であることから、第二の候補とは異なり、同一のマージブロック候補リスト内において、複数の第三の候補がある場合、第三の候補の間では、予測方向、動きベクトルおよび参照ピクチャインデックスの全てが一致する候補は存在しない（第一の候補および第二の候補とは、結果的に同じ候補が存在する場合もあり得る）。
【００４６】
また、例えば、前記マージ候補取得ステップは、前記第一の候補を導出し、前記２以上の固定数のマージ候補の一部として追加する第一導出ステップと、前記第一の候補の数が、前記２以上の固定数より小さい場合に、前記復号対象ブロックの復号において参照可能なピクチャに対するピクチャインデックスを持つ、少なくとも１つの第三の候補を導出し、前記２以上の固定数のマージ候補の一部として追加する第二導出ステップと、前記第一の候補の数および前記第三の候補の数の合計が、前記２以上の固定数より小さい場合に、前記第一の候補の数、前記第二の候補の数および前記第三の候補の数の合計が、前記２以上の固定数と等しくなるように、少なくとも１つの前記第二の候補を前記２以上の固定数のマージ候補の一部として追加する第三導出ステップと、を有してもよい。
【００４７】
また、例えば、前記第二導出ステップでは、予め用意された複数の異なる候補から、所定の優先順位に従って少なくとも１つの候補を選択することにより、少なくとも１つの前記第三の候補を導出してもよい。
【００４８】
また、例えば、前記マージ候補取得ステップは、前記２以上の固定数のマージ候補の全てに前記第二の候補を設定することにより、前記２以上の固定数のマージ候補を初期化する初期化ステップと、少なくとも１つの前記第一の候補を導出し、前記２以上の固定数のマージ候補の一部として更新する第一導出ステップと、前記第一の候補の数が、前記２以上の固定数より小さい場合に、前記復号対象ブロックの復号において参照可能なピクチャに対するピクチャインデックスを持つ、少なくとも１つの第三の候補を導出し、前記２以上の固定数のマージ候補の一部として更新する第二導出ステップと、を有してもよい。
【００４９】
そこで、本発明の一態様に係る画像符号化方法は、画像をブロック毎に符号化することで符号化ビットストリームを生成する画像符号化方法であって、符号化対象ブロックの符号化において参照する予測方向、動きベクトルおよび参照ピクチャインデックスの候補であるマージ候補であって、２以上の固定数のマージ候補を取得するマージ候補取得ステップと、前記２以上の固定数のマージ候補から前記符号化対象ブロックの符号化において参照する前記マージ候補を特定するためのインデックスを、前記符号化ビットストリームに付加する符号化ステップとを含み、前記２以上の固定数のマージ候補は、前記符号化対象ブロックに空間的または時間的に隣接する隣接ブロックの符号化に用いられた予測方向、動きベクトルおよび参照ピクチャインデックスに基づいて導出された少なくとも１つの第一の候補と、予め定められた固定値を持つ少なくとも１つの第二の候補とを含む。
【００５０】
また、例えば、前記マージ候補取得ステップは、前記第一の候補を導出し、前記２以上の固定数のマージ候補の一部として追加する第一導出ステップと、前記第一の候補の数が、前記２以上の固定数より小さい場合に、前記復号対象ブロックの復号において参照可能なピクチャに対するピクチャインデックスを持つ、少なくとも１つの第三の候補を導出し、前記２以上の固定数のマージ候補の一部として追加する第二導出ステップと、前記第一の候補の数および前記第三の候補の数の合計が、前記２以上の固定数より小さい場合に、前記第一の候補の数、前記第二の候補の数および前記第三の候補の数の合計が、前記２以上の固定数と等しくなるように、少なくとも１つの前記第二の候補を前記２以上の固定数のマージ候補の一部として追加する第三導出ステップと、を有してもよい。
【００５１】
また、例えば、前記第二導出ステップでは、予め用意された複数の異なる候補から、所定の優先順位に従って少なくとも１つの候補を選択することにより、少なくとも１つの前記第三の候補を導出してもよい。
【００５２】
また、例えば、前記マージ候補取得ステップは、前記２以上の固定数のマージ候補の全てに前記第二の候補を設定することにより、前記２以上の固定数のマージ候補を初期化する初期化ステップと、少なくとも１つの前記第一の候補を導出し、前記２以上の固定数のマージ候補の一部として更新する第一導出ステップと、前記第一の候補の数が、前記２以上の固定数より小さい場合に、前記復号対象ブロックの復号において参照可能なピクチャに対するピクチャインデックスを持つ、少なくとも１つの第三の候補を導出し、前記２以上の固定数のマージ候補の一部として更新する第二導出ステップと、を有してもよい。
【００５３】
そこで、本発明の一態様に係る画像復号装置は、符号化ビットストリームに含まれる画像データをブロック毎に復号する画像復号装置であって、復号対象ブロックの復号において参照する予測方向、動きベクトルおよび参照ピクチャインデックスの候補であるマージ候補であって、２以上の固定数のマージ候補を取得するマージ候補取得部と、前記２以上の固定数のマージ候補から前記復号対象ブロックの復号において参照するマージ候補を特定するためのインデックスを、前記符号化ビットストリームから取得するインデックス取得部と、取得した前記インデックスを用いて前記マージ候補を特定し、特定した前記マージ候補を用いて前記復号対象ブロックを復号する復号部とを備え、前記２以上の固定数のマージ候補は、前記復号対象ブロックに空間的または時間的に隣接する隣接ブロックの復号に用いられた予測方向、動きベクトルおよび参照ピクチャインデックスに基づいて導出された少なくとも１つの第一の候補と、予め定められた固定値を持つ少なくとも１つの第二の候補とを含む。
【００５４】
そこで、本発明の一態様に係る画像符号化装置は、画像をブロック毎に符号化することで符号化ビットストリームを生成する画像符号化装置であって、符号化対象ブロックの符号化において参照する予測方向、動きベクトルおよび参照ピクチャインデックスの候補であるマージ候補であって、２以上の固定数のマージ候補を取得するマージ候補取得部と、前記２以上の固定数のマージ候補から前記符号化対象ブロックの符号化において参照する前記マージ候補を特定するためのインデックスを、前記符号化ビットストリームに付加する符号化部とを備え、前記２以上の固定数のマージ候補は、前記符号化対象ブロックに空間的または時間的に隣接する隣接ブロックの符号化に用いられた予測方向、動きベクトルおよび参照ピクチャインデックスに基づいて導出された少なくとも１つの第一の候補と、予め定められた固定値を持つ少なくとも１つの第二の候補とを含む。
【００５５】
そこで、本発明の一態様に係る画像符号化復号装置は、上記画像復号装置と、上記画像符号化装置とを備える。
【００５６】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００５７】
以下、本発明の一態様に係る画像符号化装置および画像復号装置について、図面を参照しながら具体的に説明する。
【００５８】
なお、以下で説明する実施の形態は、いずれも本発明の一具体例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００５９】
（実施の形態１）
本実施の形態に係る画像符号化方法を用いた画像符号化装置について、図１１〜図１８を基に説明する。図１１は、本実施の形態に係る画像符号化装置の構成を示すブロック図である。画像符号化装置１００は、画像をブロック毎に符号化することでビットストリームを生成する。
【００６０】
画像符号化装置１００は、図１１に示すように、減算部１０１と、直交変換部１０２と、量子化部１０３と、逆量子化部１０４と、逆直交変換部１０５と、加算部１０６と、ブロックメモリ１０７と、フレームメモリ１０８と、イントラ予測部１０９と、インター予測部１１０と、インター予測制御部１１１と、ピクチャタイプ決定部１１２と、スイッチ１１３と、マージブロック候補算出部１１４と、ｃｏｌＰｉｃメモリ１１５と、可変長符号化部１１６とを備える。
【００６１】
減算部１０１は、ブロック毎に、入力画像列に含まれる入力画像データから予測画像データを減算することにより予測誤差データを生成する。
【００６２】
直交変換部１０２は、生成された予測誤差データに対し、画像領域から周波数領域への変換を行う。
【００６３】
量子化部１０３は、周波数領域に変換された予測誤差データに対し、量子化処理を行う。
【００６４】
逆量子化部１０４は、量子化部１０３によって量子化処理された予測誤差データに対し、逆量子化処理を行う。
【００６５】
逆直交変換部１０５は、逆量子化処理された予測誤差データに対し、周波数領域から画像領域への変換を行う。
【００６６】
加算部１０６は、ブロック毎に、予測画像データと、逆直交変換部１０５によって逆量子化処理された予測誤差データとを加算することにより、再構成画像データを生成する。
【００６７】
ブロックメモリ１０７には、再構成画像データがブロック単位で保存される。
【００６８】
フレームメモリ１０８には、再構成画像データがフレーム単位で保存される。
【００６９】
ピクチャタイプ決定部１１２は、Ｉピクチャ、Ｂピクチャ、およびＰピクチャのいずれのピクチャタイプで入力画像データを符号化するかを決定する。そして、ピクチャタイプ決定部１１２は、決定されたピクチャタイプを示すピクチャタイプ情報を生成する。
【００７０】
イントラ予測部１０９は、ブロックメモリ１０７に保存されているブロック単位の再構成画像データを用いてイントラ予測を行うことにより、符号化対象ブロックのイントラ予測画像データを生成する。
【００７１】
インター予測部１１０は、フレームメモリ１０８に保存されているフレーム単位の再構成画像データと、動き検出等により導出した動きベクトルとを用いてインター予測を行うことにより、符号化対象ブロックのインター予測画像データを生成する。
【００７２】
スイッチ１１３は、符号化対象ブロックがイントラ予測符号化される場合に、イントラ予測部１０９によって生成されたイントラ予測画像データを、符号化対象ブロックの予測画像データとして減算部１０１および加算部１０６に出力する。一方、スイッチ１１３は、符号化対象ブロックがインター予測符号化される場合に、インター予測部１１０によって生成されたインター予測画像データを、符号化対象ブロックの予測画像データとして減算部１０１および加算部１０６に出力する。
【００７３】
マージブロック候補算出部１１４は、本実施の形態では、固定数のマージブロック候補を備えるマージブロック候補リストを作成する。
【００７４】
具体的には、マージブロック候補算出部１１４は、符号化対象ブロックの隣接ブロックの動きベクトル等、および、ｃｏｌＰｉｃメモリ１１５に格納されているｃｏ−ｌｏｃａｔｅｄブロックの動きベクトル等（ｃｏｌＰｉｃ情報）を用いて、マージモードのマージブロック候補（第一の候補）を導出する。さらに、マージブロック候補算出部１１４は、導出されたマージブロック候補をマージブロック候補リストに追加する。
【００７５】
また、マージブロック候補算出部１１４は、マージブロック候補リストに空きがある場合に、符号化効率を向上させるために、予め定められたマージブロック候補から新規候補（第三の候補）を選択する。さらに、マージブロック候補算出部１１４は、導出された新規候補を新たなマージブロック候補としてマージブロック候補リストに追加する。さらに、マージブロック候補算出部１１４は、マージブロック候補数を算出する。
【００７６】
また、マージブロック候補算出部１１４は、導出された各マージブロック候補に対して、マージブロックインデックスの値を割り当てる。そして、マージブロック候補算出部１１４は、マージブロック候補とマージブロックインデックスとを、インター予測制御部１１１に送信する。また、マージブロック候補算出部１１４は、算出したマージブロック候補数を可変長符号化部１１６に送信する。
【００７７】
インター予測制御部１１１は、動き検出により導出された動きベクトルを用いる予測モード（動き検出モード）と、マージブロック候補から導出された動きベクトルを用いる予測モード（マージモード）とのうち、最も小さい予測誤差が得られる予測モードを選択する。また、インター予測制御部１１１は、予測モードがマージモードかどうかを表すマージフラグを可変長符号化部１１６に送信する。また、インター予測制御部１１１は、予測モードとしてマージモードが選択された場合に、決定されたマージブロック候補に対応するマージブロックインデックスを、可変長符号化部１１６に送信する。さらに、インター予測制御部１１１は、符号化対象ブロックの動きベクトル等を含むｃｏｌＰｉｃ情報をｃｏｌＰｉｃメモリ１１５に転送する。
【００７８】
可変長符号化部１１６は、量子化処理された予測誤差データと、マージフラグおよびピクチャタイプ情報とに対し、可変長符号化処理を行うことで、ビットストリームを生成する。また、可変長符号化部１１６は、マージブロック候補数をマージブロック候補リストサイズに設定する。そして、可変長符号化部１１６は、符号化に用いるマージブロックインデックスに、マージブロック候補リストサイズに応じたビット列を割り当てて、割り当てられたビット列に対して可変長符号化を行う。
【００７９】
図１２は、本実施の形態に係る画像符号化装置１００の処理動作を示すフローチャートである。
【００８０】
ステップＳ１０１では、マージブロック候補算出部１１４は、符号化対象ブロックの隣接ブロックおよびｃｏ−ｌｏｃａｔｅｄブロックからマージブロック候補を導出する。また、マージブロック候補算出部１１４は、マージブロック候補リストサイズが可変に設定されている場合は、後述する方法で、マージブロック候補リストサイズを算出する。
【００８１】
例えば、図３のような場合では、マージブロック候補算出部１１４は、隣接ブロックＡ〜Ｄをマージブロック候補として選択する。さらに、マージブロック候補算出部１１４は、ｃｏ−ｌｏｃａｔｅｄブロックの動きベクトルから時間予測モードによって算出した動きベクトル、参照ピクチャインデックスおよび予測方向を有するｃｏ−ｌｏｃａｔｅｄマージブロックをマージブロック候補として算出する。
【００８２】
マージブロック候補算出部１１４は、各マージブロック候補に対してマージブロックインデックスを割り当てる。図１３Ａの（ａ）は、隣接ブロックにマージブロックインデックスを割り当てた状態でのマージブロック候補リストを示す表である。図１３Ａの（ａ）のマージブロック候補リストにおいて、左欄は、マージブロックインデックスを示している。また、右欄は、予測方向、参照ピクチャインデックス、および、動きベクトルを示している。さらに、マージブロック候補算出部１１４は、後述する方法で、マージ不可能候補および重複候補の削除、および新規候補追加を行ってマージブロック候補リストを更新し、マージブロック候補リストサイズを算出する。図１３Ａの（ｂ）は、マージ不可能候補および重複候補の削除、新規候補の追加を行った後のマージブロック候補リストを示している。なお、本実施の形態では、隣接ブロックＡと隣接ブロックＤとが重複しており、隣接ブロックＤを削除しているが、隣接ブロックＡを削除するようにしても構わない。
【００８３】
マージブロックインデックスは、値が小さいほど短い符号が割り振られる。すなわち、マージブロックインデックスの値が小さい場合にマージブロックインデックスに必要な情報量が少なくなる。
【００８４】
一方、マージブロックインデックスの値が大きくなると、マージブロックインデックスに必要な情報量が大きくなる。したがって、より精度が高い動きベクトルおよび参照ピクチャインデックスを有する可能性が高いマージブロック候補に対して、値の小さいマージブロックインデックスが割り当てられると、符号化効率が高くなる。
【００８５】
そこで、マージブロック候補算出部１１４は、例えば、マージブロックとして選ばれた回数をマージブロック候補毎に計測し、その回数が多いブロックに対し、値の小さいマージブロックインデックスを割り当ててもよい。具体的には、隣接ブロックにおいて選択されたマージブロックを特定しておき、対象ブロックの符号化の際に、特定したマージブロックに対するマージブロックインデックスの値を小さくすることが考えられる。
【００８６】
なお、マージブロック候補が、動きベクトル等の情報を有しない場合（イントラ予測で符号化されたブロックである場合、ピクチャやスライスの境界外などに位置するブロックである場合、あるいは、まだ符号化されていないブロックである場合など）には、符号化に利用できない。
【００８７】
本実施の形態では、符号化に利用できないマージブロック候補をマージ不可能候補と呼ぶ。また、符号化に利用できるマージブロック候補をマージ可能候補と呼ぶ。また、複数のマージブロック候補において、他のいずれかのマージブロック候補と、動きベクトル、参照ピクチャインデックス、および、予測方向のすべてが一致している候補を重複候補と呼ぶ。
【００８８】
図３の場合では、隣接ブロックＣは、イントラ予測で符号化されたブロックであるので、マージ不可能候補とする。また、隣接ブロックＤは、隣接ブロックＡと動きベクトル、参照ピクチャインデックス、および、予測方向のすべてが一致しているので、重複候補とする。
【００８９】
ステップＳ１０２では、インター予測制御部１１１は、動き検出により導出された動きベクトルを用いて生成した予測画像の予測誤差と、マージブロック候補から得られた動きベクトルを用いて生成した予測画像の予測誤差とを、後述する方法で比較し、予測モードを選択する。ここで、選択された予測モードがマージモードであれば、インター予測制御部１１１は、マージフラグを１にセットし、そうでなければ、マージフラグを０にセットする。
【００９０】
ステップＳ１０３では、マージフラグが１であるか否か（すなわち、予測モードがマージモードかどうか）が判定される。
【００９１】
ここで、ステップＳ１０３の判定結果が真ならば（Ｓ１０３のＹｅｓ）、ステップＳ１０４において、可変長符号化部１１６は、マージフラグをビットストリームに付加する。さらに、ステップＳ１０５において、可変長符号化部１１６は、符号化に用いるマージブロック候補のマージブロックインデックスに図５に示すようなマージブロック候補リストサイズに応じたビット列を割り当てる。そして、可変長符号化部１１６は、割り当てられたビット列に対して可変長符号化を行う。
【００９２】
一方、ステップＳ１０３の判定結果が偽ならば（Ｓ１０３のＮｏ）、ステップＳ１０６において、可変長符号化部１１６は、マージフラグおよび動き検出ベクトルモードの情報をビットストリームに付加する。
【００９３】
本実施の形態では、図１３Ａの（ａ）のように、隣接ブロックＡに対応するマージブロックインデックスの値として「０」が割り当てられる。また、隣接ブロックＢに対応するマージブロックインデックスの値として「１」が割り当てられる。また、ｃｏ−ｌｏｃａｔｅｄマージブロックに対応するマージブロックインデックスの値として「２」が割り当てられる。また、隣接ブロックＣに対応するマージブロックインデックスの値として「３」が割り当てられる。また、隣接ブロックＤに対応するマージブロックインデックスの値として「４」が割り当てられる。
【００９４】
なお、必ずしも、マージブロックインデックスの値の割り当て方は、この例に限らない。例えば、可変長符号化部１１６は、後述する方法を用いて新規候補が追加された場合などには、元々のマージブロック候補には小さい値を割り当て、新規候補には大きい値を割り当ててもよい。つまり、可変長符号化部１１６は、元々のマージブロック候補に優先して小さな値のマージブロックインデックスを割り当てても構わない。
【００９５】
また、必ずしも、マージブロック候補は、隣接ブロックＡ〜Ｄの位置に限定されない。例えば、左下隣接ブロックＤの上に位置する隣接ブロック等がマージブロック候補として用いられても構わない。また、必ずしもすべての隣接ブロックがマージブロック候補として使用される必要はない。例えば、隣接ブロックＡ、Ｂのみがマージブロック候補として用いられてもよい。
【００９６】
また、本実施の形態では、図１２のステップＳ１０５において、可変長符号化部１１６は、マージブロックインデックスをビットストリームに付加したが、必ずしもマージブロックインデックスをビットストリームに付加する必要はない。例えば、可変長符号化部１１６は、マージブロック候補リストサイズが「１」の場合は、マージブロックインデックスをビットストリームに付加しなくてもよい。これにより、マージブロックインデックスの情報量を削減できる。
【００９７】
図１４Ａは、図１２のステップＳ１０１の詳細な処理を示すフローチャートである。具体的には、図１４Ａは、マージブロック候補、および、マージブロック候補リストサイズを算出する方法を表す。以下、図１４Ａについて説明する。
【００９８】
図１４Ａの処理に先立って、マージブロック候補算出部１１４は、図１３Ａの（ａ）に示すように、隣接ブロック（隣接ブロックＡ〜Ｄ、ｃｏ−ｌｏｃａｔｅｄマージブロック）に、インデックス値を割り当てる。
【００９９】
ここで、Ｎは各マージブロック候補を表すためのインデックス値である。本実施の形態では、Ｎは０から４までの値をとる。具体的には、マージブロック候補［０］には、図３の隣接ブロックＡが割り振られる。また、マージブロック候補［１］には、図３の隣接ブロックＢが割り振られる。また、マージブロック候補［２］には、ｃｏ−ｌｏｃａｔｅｄマージブロックが割り振られる。また、マージブロック候補［３］には、図３の隣接ブロックＣが割り振られる。また、マージブロック候補［４］には、図３の隣接ブロックＤが割り振られる。
【０１００】
マージブロック候補算出部１１４は、隣接ブロックにインデックス値を割り振った後、マージブロック候補［０］〜［４］のそれぞれについて、マージ可能候補であるか否かの判定（ステップＳ１１１）、および、図１３Ａに示すマージブロック候補リストの右欄の情報の取得（ステップＳ１１２）を行う。
【０１０１】
ステップＳ１１１では、マージブロック候補算出部１１４は、マージブロック候補［Ｎ］がマージ可能候補であるかどうかを後述する方法で判定し、マージブロック候補数を導出する。
【０１０２】
ステップＳ１１２では、マージブロック候補算出部１１４は、マージブロック候補［Ｎ］の動きベクトル、参照ピクチャインデックス、および予測方向を取得して、マージブロック候補リスト（右欄）に追加する。
【０１０３】
ステップＳ１１３では、マージブロック候補算出部１１４は、図１３Ａの（ｂ）に示すように、マージブロック候補リストからマージ不可能候補および重複候補を探索し、削除する。さらに、マージブロック候補算出部１１４は、マージブロック候補数から、重複候補数を減算する。
【０１０４】
ステップＳ１１４では、マージブロック候補算出部１１４は、後述する方法で、マージブロック候補リストに新規候補（第三の候補）を追加する。ここで、新規候補を追加する際には、元々あるマージブロック候補に優先して小さい値のマージブロックインデックスが割り当たるように、マージブロックインデックスの値の再割り当てを行ってもよい。つまり、マージブロック候補算出部１１４は、新規候補には値が大きいマージブロックインデックスが割り当たるように、マージブロックインデックスの値の再割り当てを行ってもよい。これにより、マージブロックインデックスの符号量を削減できる。
【０１０５】
ステップＳ１１５では、マージブロック候補算出部１１４は、新規候補追加後のマージブロック候補数をマージブロック候補リストサイズに設定する。図１３Ａの（ｂ）の例では、後述する方法により、マージブロック候補数は「５」と算出され、マージブロック候補リストサイズには「５」が設定される。なお、例えば、マージブロック候補リストサイズが、可変ではなく、２以上の固定数に設定されている場合は、マージブロック候補リストサイズに当該２以上の固定数を設定する。
【０１０６】
なお、ステップＳ１１４における新規候補とは、後述する方法で、マージブロック候補数が最大マージブロック候補数に達していない場合に、マージブロック候補に新たに追加される候補である。例えば、図３における左下隣接ブロックＤの上に位置する隣接ブロックや、ｃｏ-ｌｏｃａｔｅｄブロックが含まれる参照ピクチャにおける隣接ブロックＡ、Ｂ、Ｃ、Ｄに対応するブロックや、参照ピクチャの画面全体、または一定の領域の動きベクトルや参照ピクチャインデックスおよび予測方向の統計等から算出した値などを持つブロックを、新規候補とすることが考えられる。また、参照可能な各参照ピクチャに対して値０の動きベクトルを持つｚｅｒｏ候補を、新規候補としても構わない。さらに、導出された互いに異なるマージブロック候補が持つ、予測方向０の動きベクトルおよび参照ピクチャインデックスと、予測方向１の動きベクトルおよび参照ピクチャインデックスとを組み合わせることによって、２方向予測のマージブロック候補（以下、「ｃｏｍｂｉｎｅｄマージブロック候補」と呼ぶ）を、新規候補としても構わない。
【０１０７】
このように、マージブロック候補数が、最大マージブロック候補数に達していない場合には、画像符号化装置１００は、新規候補を追加することによって、符号化効率を向上できる。
【０１０８】
図１５Ａは、図１４ＡのステップＳ１１１の詳細な処理を示すフローチャートである。具体的には、図１５Ａは、マージブロック候補［Ｎ］がマージ可能候補かどうかを判定し、マージ可能候補数を更新する方法を表す。以下、図１５Ａについて説明する。
【０１０９】
ステップＳ１２１では、マージブロック候補算出部１１４は、マージブロック候補［Ｎ］が、（１）イントラ予測で符号化されたブロック、または、（２）符号化対象ブロックを含むスライスまたはピクチャ境界外に位置するブロック、または、（３）まだ符号化されていないブロックであるかどうかを判定する。
【０１１０】
ここで、ステップＳ１２１の判定結果が真ならば（ステップＳ１２１のＹｅｓ）、ステップＳ１２２において、マージブロック候補算出部１１４は、マージブロック候補［Ｎ］をマージ不可能候補に設定する。一方、ステップＳ１２１の判定結果が偽ならば（ステップＳ１２１のＮｏ）、ステップＳ１２３において、マージブロック候補算出部１１４は、マージブロック候補［Ｎ］をマージ可能候補に設定する。
【０１１１】
ステップＳ１２４では、マージブロック候補算出部１１４は、マージブロック候補［Ｎ］がマージ可能候補、または、ｃｏ-ｌｏｃａｔｅｄマージブロック候補であるかどうかを判定する。
【０１１２】
ステップＳ１２４の判定結果が真ならば（ステップＳ１２４のＹｅｓ）、マージブロック候補算出部１１４は、ステップＳ１２５において、マージブロック候補数に１を加算して値を更新する。ステップＳ１２４の判定結果が偽ならば（ステップＳ１２４のＮｏ）、マージブロック候補算出部１１４は、マージブロック候補数を更新しない。
【０１１３】
このように、本実施の形態では、マージブロック候補算出部１１４は、マージブロック候補がｃｏ-ｌｏｃａｔｅｄマージブロックの場合は、ｃｏ-ｌｏｃａｔｅｄブロックがマージ可能候補であるかマージ不可能候補であるかどうかに関らず、マージブロック候補数に１を加算する。これにより、パケットロス等でｃｏ-ｌｏｃａｔｅｄマージブロックの情報がロスされた場合でも、画像符号化装置と画像復号装置でマージブロック候補数に不一致が発生するのを防止可能になる。マージブロック候補算出部１１４は、図１４ＡのステップＳ１１５において、マージブロック候補数をマージブロック候補リストサイズに設定する。また、マージブロック候補算出部１１４は、図１２のステップＳ１０５において、マージブロック候補リストサイズに応じたビット列を割り当てて、マージブロックインデックスを可変長符号化する。これにより、ｃｏ-ｌｏｃａｔｅｄブロック等を含む参照ピクチャ情報をロスした場合でも、マージブロックインデックスを正常に復号できるビットストリームを生成することが可能になる。
【０１１４】
図１６は、図１４ＡのステップＳ１１４の詳細な処理を示すフローチャートである。具体的には、図１６は、符号化効率を向上させるための新規候補（第三の候補）を追加する方法を表す。以下、図１６について説明する。
【０１１５】
ステップＳ１３１では、マージブロック候補算出部１１４は、マージブロック候補数がマージブロック候補リストサイズより小さいか否かを判定する。より具体的には、マージブロック候補算出部１１４は、マージブロック候補リストサイズが可変の場合は、マージブロック候補数が候補リストサイズの最大値（最大マージブロック候補数）に達していないかどうかを判定する。一方、マージブロック候補リストサイズが固定されている場合（マージブロック候補リストサイズが２以上の固定数である場合）は、マージブロック候補数が、２以上の固定数に達していないかどうかを判定する。
【０１１６】
ステップＳ１３１の判定結果が真ならば（ステップＳ１３１のＹｅｓ）、ステップＳ１３２において、マージブロック候補算出部１１４は、マージブロック候補としてマージブロック候補リストに追加可能な新規候補が存在するかどうかを判定する。
【０１１７】
ここで、新規候補は、予め用意された候補である。新規候補は、例えば、参照可能な各参照ピクチャに対して値０の動きベクトルを持つｚｅｒｏ候補である。この場合は、参照可能な参照ピクチャの数が、新規候補として追加可能な候補の総数となる。なお、新規候補は、上述したように、ｃｏｍｂｉｎｅｄ候補など、他の候補であっても良い。
【０１１８】
ステップＳ１３２の判定結果が真ならば（ステップＳ１３２のＹｅｓ）、ステップＳ１３３において、マージブロック候補算出部１１４は、新規候補にマージブロックインデックスの値を割り当て、マージブロック候補リストに追加する。
【０１１９】
さらに、ステップＳ１３４において、マージブロック候補算出部１１４は、マージブロック候補数に１を加算する。
【０１２０】
一方、ステップＳ１３１またはステップＳ１３２の判定結果が偽ならば（ステップＳ１３１またはステップＳ１３２のＮｏ）、新規候補の追加処理を終了する。つまり、マージブロック候補数が最大マージブロック候補数に達している、または、新規候補がない場合（全ての新規候補がマージブロック候補として候補リストに追加した後）は、新規候補の追加処理を終了する。
【０１２１】
図１８は、図１２のステップＳ１０２の詳細な処理を示すフローチャートである。具体的には、図１８は、マージブロック候補の選択に関する処理を示す。以下、図１８について説明する。
【０１２２】
ステップＳ１５１では、インター予測制御部１１１は、マージブロック候補インデックスに０をセットし、最小予測誤差に、動きベクトル検出モードの予測誤差（コスト）をセットし、マージフラグに０をセットする。ここで、コストは、例えば、Ｒ−Ｄ最適化モデルの以下の式で算出される。
【０１２３】
（式１）
Ｃｏｓｔ＝Ｄ＋λＲ
【０１２４】
式１において、Ｄは、符号化歪を表す。例えば、ある動きベクトルで生成した予測画像を用いて符号化対象ブロックを符号化および復号して得られた画素値と、符号化対象ブロックの元の画素値との差分絶対値和などがＤとして用いられる。また、Ｒは、発生符号量を表す。予測画像生成に用いた動きベクトルを符号化するために必要な符号量などがＲとして用いられる。また、λは、ラグランジュの未定乗数である。
【０１２５】
ステップＳ１５２では、インター予測制御部１１１は、マージブロック候補インデックスの値が、符号化対象ブロックのマージブロック候補数よりも小さいかどうかを判定する。つまり、インター予測制御部１１１は、まだ以下のステップＳ１５３〜ステップＳ１５５の処理が行われていないマージブロック候補が存在するかどうかを判定する。
【０１２６】
ここで、ステップＳ１５２の判定結果が真ならば（Ｓ１５２のＹｅｓ）、ステップＳ１５３において、インター予測制御部１１１は、マージブロック候補インデックスが割り振られたマージブロック候補のコストを算出する。そして、ステップＳ１５４では、インター予測制御部１１１は、算出したマージブロック候補のコストが、最小予測誤差よりも小さいかどうかを判定する。
【０１２７】
ここで、ステップＳ１５４の判定結果が真ならば（Ｓ１５４のＹｅｓ）、ステップＳ１５５において、インター予測制御部１１１は、最小予測誤差、マージブロックインデックス、およびマージフラグの値を更新する。一方、ステップＳ１５４の判定結果が偽ならば（Ｓ１５４のＮｏ）、インター予測制御部１１１は、最小予測誤差、マージブロックインデックス、およびマージフラグの値を更新しない。
【０１２８】
ステップＳ１５６では、インター予測制御部１１１は、マージブロック候補インデックスの値に１を加算し、ステップＳ１５２からステップＳ１５６を繰り返し行う。
【０１２９】
一方、ステップＳ１５２の判定結果が偽ならば（Ｓ１５２のＮｏ）、すなわち、未処理のマージブロック候補がなくなれば、ステップＳ１５７において、インター予測制御部１１１は、最終的に設定されているマージフラグおよびマージブロックインデックスの値を確定する。
【０１３０】
このように、本実施の形態に係る画像符号化装置１００によれば、マージブロックインデックスを符号化または復号する際に用いるマージブロック候補リストサイズを、ｃｏ-ｌｏｃａｔｅｄブロック等を含む参照ピクチャ情報に依存しない方法で算出することによって、エラー耐性を向上させることが可能になる。より具体的には、本実施の形態に係る画像符号化装置１００では、ｃｏ-ｌｏｃａｔｅｄマージブロックがマージ可能候補であるかマージ不可能候補であるかに関らず、マージブロック候補数に常に１が加算される。そして、マージブロック候補数に応じて、マージブロックインデックスに割り当てるビット列が決定される。これにより、ｃｏ-ｌｏｃａｔｅｄブロックを含む参照ピクチャ情報をロスした場合でも、画像符号化装置１００と画像復号装置３００とで、マージブロック候補数が同じになり、マージブロックインデックスを正常に復号できるビットストリームを生成することが可能になる。また、マージブロック候補数が、マージ可能候補数に達していない場合には、新たな動きベクトル、参照ピクチャインデックスおよび予測方向を持つ新規候補を追加することによって、符号化効率を向上できる。
【０１３１】
なお、本実施の形態では、図１５ＡのステップＳ１２５およびステップＳ１２６で示されるように、ｃｏ-ｌｏｃａｔｅｄマージブロックについてのみ、マージ可能候補であるかマージ不可能候補であるかに関らず、マージブロック候補数に常に１を加算するようにしたが、これに限られない。他のブロックについても、マージ可能候補であるかマージ不可能候補であるかに関らず、マージブロック候補数に常に１を加算するようにしても良い。
【０１３２】
また、本実施の形態において、マージブロック候補リストサイズを２以上の固定数とする場合、２以上の固定数は、マージブロック候補数の最大値Ｍａｘとしてもよい。つまり、全ての隣接ブロックにおけるマージブロック候補をマージ可能候補とみなし、マージブロック候補リストサイズを、マージ候補ブロック候補数の最大値Ｍａｘに固定して、マージブロックインデックスを符号化するようにしても構わない。例えば、本実施の形態では、マージブロック候補数の最大値Ｍａｘは５であるため（隣接ブロックＡ、隣接ブロックＢ、ｃｏ-ｌｏｃａｔｅｄマージブロック、隣接ブロックＣ、隣接ブロックＤ）、常にマージブロック候補リストサイズに「５」を設定して、マージブロックインデックスを符号化するようにしても構わない。
【０１３３】
また、例えば、ｃｏ-ｌｏｃａｔｅｄマージブロックを参照しないピクチャ（Ｉピクチャを参照するＢピクチャやＰピクチャ）の場合等、マージブロック候補数の最大値Ｍａｘが４（隣接ブロックＡ、隣接ブロックＢ、隣接ブロックＣ、隣接ブロックＤ）の場合には、常にマージブロック候補リストサイズに「４」を設定して、マージブロックインデックスを符号化するようにしても構わない。
【０１３４】
このように、マージブロック候補リストサイズが２以上の固定数である場合には、２以上の固定数にマージブロック候補数の最大値Ｍａｘを設定し、２以上の固定数に応じて、マージブロック候補リストサイズを決定しても構わない。この場合、画像符号化装置１００は、図１２のステップＳ１０５において、２以上の固定数を用いて可変長符号化を行う。
【０１３５】
これにより、画像復号装置の可変長復号部が、ビットストリーム中のマージブロックインデックスを、隣接ブロックやｃｏ-ｌｏｃａｔｅｄブロックの情報を参照せずに復号することができるビットストリームを生成することが可能となり、可変長復号部の処理量を削減することができる。また、２以上の固定数（例えば、マージブロック候補数の最大値Ｍａｘ）を、ＳＰＳ（Ｓｅｑｕｅｎｃｅ Ｐａｒａｍｅｔｅｒ Ｓｅｔ）、ＰＰＳ（Ｐｉｃｔｕｒｅ Ｐａｒａｍｅｔｅｒ Ｓｅｔ）、または、スライスヘッダ等に埋め込むようにしても構わない。これにより、符号化対象ピクチャに応じて、２以上の固定数を切り替えることができ、処理量の削減および符号化効率の向上を図ることができる。
【０１３６】
なお、本実施の形態では、マージモードにおいて常にマージフラグをビットストリームに付加させる例を示したが、必ずしもこれに限らない。例えば、符号化対象ブロックのインター予測に用いる参照ブロックの形状等に基づいて、強制的にマージモードを選択するようにしてもよい。この場合には、マージフラグをビットストリームに付加させないことで情報量を削減することが可能になる。
【０１３７】
なお、本実施の形態では、符号化対象ブロックの隣接ブロックから予測方向、動きベクトル、および参照ピクチャインデックスをコピーして、符号化対象ブロックの符号化を行うマージモードを用いた例を示したが、必ずしもこれに限らない。例えば、スキップマージモードが用いられてもよい。スキップマージモードでは、図１３Ａの（ｂ）のように作成したマージブロック候補リストを用いて、マージモードと同様に符号化対象ブロックの隣接ブロックから予測方向、動きベクトル、および参照ピクチャインデックスをコピーして、符号化対象ブロックの符号化を行う。その結果、符号化対象ブロックのすべての予測誤差データが０であれば、スキップフラグを１にセットし、スキップフラグおよびマージブロックインデックスをビットストリームに付加する。また、予測誤差データが０でなければ、スキップフラグを０にセットして、スキップフラグ、マージフラグ、マージブロックインデックス、および予測誤差データをビットストリームに付加する。
【０１３８】
なお、本実施の形態では、符号化対象ブロックの隣接ブロックから予測方向、動きベクトル、および参照ピクチャインデックスをコピーして、符号化対象ブロックの符号化を行うマージモードを用いた例を示したが、必ずしもこれに限らない。例えば、図１３Ａの（ｂ）のように作成したマージブロック候補リストを用いて、動きベクトル検出モードの動きベクトルを符号化しても構わない。つまり、動きベクトル検出モードの動きベクトルから、マージブロックインデックスで指定したマージブロック候補の動きベクトルを減ずることにより差分を求める。そして、求められた差分およびマージブロックインデックスをビットストリームに付加しても構わない。
【０１３９】
また、動き検出モードの参照ピクチャインデックスＲｅｆＩｄｘ＿ＭＥと、マージブロック候補の参照ピクチャインデックスＲｅｆＩｄｘ＿Ｍｅｒｇｅとを用いて、マージブロック候補の動きベクトルＭＶ＿Ｍｅｒｇｅをスケーリングし、動き検出モードの動きベクトルからスケーリング後のマージブロック候補の動きベクトルｓｃａｌｅｄＭＶ＿Ｍｅｒｇｅを減ずることにより差分を求めてもよい。そして、求められた差分およびマージブロックインデックスをビットストリームに付加しても構わない。スケーリングの式の例を以下に示す。
【０１４０】
（式２）
ｓｃａｌｅｄＭＶ＿Ｍｅｒｇｅ＝ＭＶ＿Ｍｅｒｇｅ×（ＰＯＣ（ＲｅｆＩｄｘ＿ＭＥ）−ｃｕｒＰＯＣ）／（ＰＯＣ（ＲｅｆＩｄｘ＿Ｍｅｒｇｅ）−ｃｕｒＰＯＣ）・・・（２）
【０１４１】
ここで、ＰＯＣ（ＲｅｆＩｄｘ＿ＭＥ）は、参照ピクチャインデックスＲｅｆＩｄｘ＿ＭＥが示す参照ピクチャの表示順を示す。ＰＯＣ（ＲｅｆＩｄｘ＿Ｍｅｒｇｅ）は、参照ピクチャインデックスＲｅｆＩｄｘ＿Ｍｅｒｇｅが示す参照ピクチャの表示順を示す。ｃｕｒＰＯＣは、符号化対象ピクチャの表示順を示す。
【０１４２】
なお、本実施の形態では、図１２のステップＳ１０５において、マージブロック候補リストサイズに応じて可変長符号化（図５参照）するとしたが、例えば、図１４ＡのステップＳ１１１（図１５Ａ）で算出したマージブロック候補数（マージ可能候補数＝第一の候補＋重複候補数）等、他のパラメータに応じて可変長符号化しても構わない。
【０１４３】
（実施の形態２）
本実施の形態に係る画像復号方法を用いた画像復号装置について、図１９〜図２２を基に説明する。図１９は、本実施の形態に係る画像復号装置３００の構成を示すブロック図である。この画像復号装置３００は、実施の形態１に係る画像符号化装置１００に対応する装置である。画像復号装置３００は、例えば、実施の形態１に係る画像符号化装置１００によって生成されたビットストリームに含まれる符号化画像をブロック毎に復号する。
【０１４４】
画像復号装置３００は、図１９に示すように、可変長復号部３０１と、逆量子化部３０２と、逆直交変換部３０３と、加算部３０４と、ブロックメモリ３０５と、フレームメモリ３０６と、イントラ予測部３０７と、インター予測部３０８と、インター予測制御部３０９と、スイッチ３１０と、マージブロック候補算出部３１１と、ｃｏｌＰｉｃメモリ３１２とを備える。
【０１４５】
可変長復号部３０１は、入力されたビットストリームに対し、可変長復号処理を行い、ピクチャタイプ情報、マージフラグ、および量子化係数を生成する。また、可変長復号部３０１は、マージブロック候補算出部３１１が算出したマージブロック候補数を用いて、マージブロックインデックスの可変長復号処理を行う。
【０１４６】
逆量子化部３０２は、可変長復号処理によって得られた量子化係数に対し、逆量子化処理を行う。
【０１４７】
逆直交変換部３０３は、逆量子化処理によって得られた直交変換係数を、周波数領域から画像領域へ変換することにより、予測誤差データを生成する。
【０１４８】
ブロックメモリ３０５には、予測誤差データと予測画像データとが加算されて生成された復号画像データが、ブロック単位で保存される。
【０１４９】
フレームメモリ３０６には、復号画像データがフレーム単位で保存される。
【０１５０】
イントラ予測部３０７は、ブロックメモリ３０５に保存されているブロック単位の復号画像データを用いてイントラ予測することにより、復号対象ブロックの予測画像データを生成する。
【０１５１】
インター予測部３０８は、フレームメモリ３０６に保存されているフレーム単位の復号画像データを用いてインター予測することにより、復号対象ブロックの予測画像データを生成する。
【０１５２】
スイッチ３１０は、復号対象ブロックがイントラ予測復号される場合に、イントラ予測部３０７によって生成されたイントラ予測画像データを、復号対象ブロックの予測画像データとして加算部３０４に出力する。一方、スイッチ３１０は、復号対象ブロックがインター予測復号される場合に、インター予測部３０８によって生成されたインター予測画像データを、復号対象ブロックの予測画像データとして加算部３０４に出力する。
【０１５３】
マージブロック候補算出部３１１は、復号対象ブロックの隣接ブロックの動きベクトル等、および、ｃｏｌＰｉｃメモリ３１２に格納されているｃｏ−ｌｏｃａｔｅｄブロックの動きベクトル等（ｃｏｌＰｉｃ情報）を用いて、マージブロック候補を導出する。さらに、マージブロック候補算出部３１１は、導出されたマージブロック候補をマージブロック候補リストに追加する。
【０１５４】
また、マージブロック候補算出部３１１は、後述する方法で、例えば、静止領域用の動きベクトルおよび参照ピクチャインデックスを持つマージブロック候補を、符号化効率を向上させるための新規候補（第三の候補）として導出する。そして、マージブロック候補算出部３１１は、導出された新規候補を新たなマージブロック候補としてマージブロック候補リストに追加する。さらに、マージブロック候補算出部３１１は、マージブロック候補リストサイズが可変の場合には、マージブロック候補数を算出する。
【０１５５】
また、マージブロック候補算出部３１１は、導出された各マージブロック候補に対し、マージブロックインデックスの値を割り当てる。そして、マージブロック候補算出部３１１は、マージブロックインデックスの値が割り当てられたマージブロック候補を、インター予測制御部３０９に送信する。また、マージブロック候補算出部３１１は、マージブロック候補リストサイズが可変の場合には、算出されたマージブロック候補数を可変長復号部３０１に送信する。
【０１５６】
インター予測制御部３０９は、復号されたマージフラグが「０」ならば、動きベクトル検出モードの情報を用いて、インター予測部３０８にインター予測画像を生成させる。一方、マージフラグが「１」ならば、インター予測制御部３０９は、複数のマージブロック候補から、復号されたマージブロックインデックスに基づいて、インター予測に用いる動きベクトル、参照ピクチャインデックスおよび予測方向を決定する。そして、インター予測制御部３０９は、決定された動きベクトル、参照ピクチャインデックスおよび予測方向を用いて、インター予測部３０８にインター予測画像を生成させる。また、インター予測制御部３０９は、復号対象ブロックの動きベクトル等を含むｃｏｌＰｉｃ情報をｃｏｌＰｉｃメモリ３１２に転送する。
【０１５７】
最後に、加算部３０４は、予測画像データと予測誤差データとを加算することにより、復号画像データを生成する。
【０１５８】
図２０は、本実施の形態に係る画像復号装置３００の処理動作を示すフローチャートである。
【０１５９】
ステップＳ３０１では、可変長復号部３０１は、マージフラグを復号する。
【０１６０】
ステップＳ３０２において、マージフラグが「１」ならば（ステップＳ３０２のＹｅｓ）、ステップＳ３０３において、マージブロック候補算出部３１１は、マージブロック候補数をマージブロック候補リストサイズとして算出する。
【０１６１】
ステップＳ３０４では、可変長復号部３０１は、算出したマージブロック候補リストサイズを用いて、ビットストリーム中のマージブロックインデックスを可変長復号する。
【０１６２】
ステップＳ３０５では、マージブロック候補算出部３１１は、図１２のステップＳ１０１と同様の方法で、マージブロック候補（マージブロック候補リスト）を生成する。また、インター予測制御部３０９は、復号されたマージブロックインデックスに基づいて、マージブロック候補算出部３１１が生成したマージブロック候補リストから、復号対象ブロックの復号で用いるマージブロック候補を特定する。
【０１６３】
ステップＳ３０６では、インター予測制御部３０９は、ステップＳ３０５で特定したマージブロック候補の動きベクトル、参照ピクチャインデックス、および、予測方向を用いてインター予測画像をインター予測部３０８に生成させる。
【０１６４】
ステップＳ３０２において、マージフラグが０ならば（ステップＳ３０２のＮｏ）、ステップＳ３０７において、インター予測部３０８は、可変長復号部３０１によって復号された動きベクトル検出モードの情報を用いて、インター予測画像を生成する。
【０１６５】
なお、ステップＳ３０３で算出されたマージブロック候補リストサイズが「１」の場合は、マージブロックインデックスは、復号されずに、「０」と推定されても構わない。
【０１６６】
図２１および図２２は、図２０のステップＳ３０３の詳細な処理を示すフローチャートである。ここでは、図２１の処理を実行した後に、図２２の処理を実行する。
【０１６７】
具体的には、図２１は、マージブロック候補［Ｎ］、および、マージブロック候補リストサイズを算出する方法を表す。以下、図２１について簡単に説明する。
【０１６８】
マージブロック候補算出部３１１は、処理が開始されると、Ｎを０に初期化する。さらに、マージブロック候補算出部３１１は、隣接ブロック（隣接ブロックＡ〜Ｄ、ｃｏ−ｌｏｃａｔｅｄマージブロック）に、インデックス値を割り当てる。
【０１６９】
ステップＳ３１１では、マージブロック候補算出部３１１は、マージブロック候補［Ｎ］が、（１）イントラ予測で復号されたブロック、または、（２）復号対象ブロックを含むスライスまたはピクチャ境界外に位置するブロック、または、（３）まだ復号されていないブロックであるかどうかを判定する。
【０１７０】
ステップＳ３１１の判定結果が真ならば（ステップＳ３１１のＹｅｓ）、ステップＳ３１２において、マージブロック候補算出部３１１は、マージブロック候補［Ｎ］をマージ不可能候補に設定する。一方、ステップＳ３１１の判定結果が偽ならば（ステップＳ３１１のＮｏ）、ステップＳ３１３において、マージブロック候補算出部３１１は、マージブロック候補［Ｎ］をマージ可能候補に設定する。
【０１７１】
ステップＳ３１４では、マージブロック候補算出部３１１は、マージブロック候補［Ｎ］がマージ可能候補、または、ｃｏ-ｌｏｃａｔｅｄマージブロック候補であるかどうかを判定する。
【０１７２】
ステップＳ３１４の判定結果が真ならば（ステップＳ３１４のＹｅｓ）、ステップＳ３１５において、マージブロック候補算出部３１１は、マージブロック候補数に１を加算して値を更新する。ステップＳ３１４の判定結果が偽ならば（ステップＳ３１４のＮｏ）、マージブロック候補数を更新しない。
【０１７３】
このように、本実施の形態では、マージブロック候補算出部３１１は、マージブロック候補がｃｏ-ｌｏｃａｔｅｄマージブロックの場合は、ｃｏ-ｌｏｃａｔｅｄブロックがマージ可能候補であるかマージ不可能候補であるかどうかに関らず、マージブロック候補数に１を加算する。これにより、パケットロス等でｃｏ-ｌｏｃａｔｅｄマージブロックの情報がロスされた場合でも、画像符号化装置と画像復号装置でマージブロック候補数に不一致が発生するのを防止可能になる。
【０１７４】
次に、図２２に示す処理を実行する。図２２は、マージブロック候補を算出する方法を表す。以下、図２２について説明する。
【０１７５】
ステップＳ３２１では、マージブロック候補算出部３１１は、マージブロック候補［Ｎ］の動きベクトル、参照ピクチャインデックス、および予測方向を取得して、マージブロック候補リストに追加する。
【０１７６】
ステップＳ３２２では、マージブロック候補算出部３１１は、図１３Ａの（ａ）および（ｂ）に示すように、マージブロック候補リストからマージ不可能候補および重複候補を探索し、削除する。さらに、マージブロック候補算出部３１１は、マージブロック候補数から重複候補数を減算する。
【０１７７】
ステップＳ３２３では、マージブロック候補算出部３１１は、画像符号化装置１００における図１６と同様の方法で、マージブロック候補リストに新規候補を追加する。このとき、マージブロック候補数は、第一の候補数＋新規候補数となる。
【０１７８】
なお、マージブロック候補算出部３１１は、図２０のステップＳ３０３において、マージブロック候補リストサイズが可変の場合は、このマージブロック候補数をマージブロック候補リストサイズに設定する。また、マージブロック候補算出部３１１は、図２０のステップＳ３０３において、マージブロック候補リストサイズが２以上の固定数である場合は、２以上の固定数をマージブロック候補リストサイズに設定する。
【０１７９】
さらに、マージブロック候補算出部３１１は、図２０のステップＳ３０４において、マージブロック候補リストサイズを用いてマージブロックインデックスを可変長復号する。これにより、本実施の形態の画像復号装置３００では、ｃｏ-ｌｏｃａｔｅｄブロック等を含む参照ピクチャ情報をロスした場合でも、マージブロックインデックスを正常に復号することが可能になる。
【０１８０】
図２３は、マージブロックインデックスをビットストリームに付加させる際のシンタックスの一例を表す図である。図２３において、ｍｅｒｇｅ_ｉｄｘは、マージブロックインデックスを表す。また、ｍｅｒｇｅ_ｆｌａｇは、マージフラグを表す。また、ＮｕｍＭｅｒｇｅＣａｎｄは、マージブロック候補リストサイズを表す。マージブロック候補リストサイズは、本実施の形態では、図２１に示す処理で算出したマージブロック候補数が設定される。
【０１８１】
このように、本実施の形態に係る画像復号装置３００によれば、マージブロックインデックスを符号化または復号する際に用いるマージブロック候補リストサイズを、ｃｏ-ｌｏｃａｔｅｄブロック等を含む参照ピクチャ情報に依存しない方法で算出する。これにより、画像復号装置３００は、エラー耐性を向上したビットストリームを適切に復号することが可能になる。より具体的には、ｃｏ-ｌｏｃａｔｅｄマージブロックがマージ可能候補かどうかに関らず、マージブロック候補数に常に１を加算する。このようにして算出されたマージブロック候補数を用いて、マージブロックインデックスに割り当てるビット列を決定する。これにより、画像復号装置３００は、ｃｏ-ｌｏｃａｔｅｄブロックを含む参照ピクチャ情報をロスした場合でも、マージブロックインデックスを正常に復号することが可能になる。また、画像復号装置３００は、マージブロック候補数が、マージ可能候補数に達していない場合には、新たな動きベクトル、参照ピクチャインデックスおよび予測方向を持つ新規候補を追加することによって、符号化効率を向上したビットストリームを適切に復号することが可能になる。
【０１８２】
なお、本実施の形態では、ｃｏ-ｌｏｃａｔｅｄマージブロックについてのみ、マージ可能候補であるかマージ不可能候補であるかに関らず、マージブロック候補数に常に１を加算するようにしたが、これに限られない。例えば、図２１のステップＳ３１４において、ｃｏ-ｌｏｃａｔｅｄマージブロック以外のマージブロック候補に対しても、マージブロック候補数に常に１を加算するようにしても構わない。
【０１８３】
また、本実施の形態において、マージブロック候補リストサイズを２以上の固定数とする場合、２以上の固定数は、マージブロック候補数の最大値Ｍａｘであっても良い。つまり、全てのマージブロック候補をマージ可能候補とみなし、マージブロック候補リストサイズを、マージブロック候補数の最大値Ｍａｘに固定しても構わない。例えば、本実施の形態では、マージブロック候補数の最大値Ｍａｘは５であるため（隣接ブロックＡ、隣接ブロックＢ、ｃｏ-ｌｏｃａｔｅｄマージブロック、隣接ブロックＣ、隣接ブロックＤ）、常にマージブロック候補リストサイズに「５」を設定して、マージブロックインデックスを復号するようにしても構わない。
【０１８４】
また、例えば、ｃｏ-ｌｏｃａｔｅｄマージブロックを参照しないピクチャ（Ｉピクチャを参照するＢピクチャやＰピクチャ）の場合等、マージブロック候補数の最大値Ｍａｘが４（隣接ブロックＡ、隣接ブロックＢ、隣接ブロックＣ、隣接ブロックＤ）の場合には、常にマージブロック候補リストサイズに「４」を設定して、マージブロックインデックスを復号するようにしても構わない。
【０１８５】
これにより、画像復号装置３００の可変長復号部３０１は、ビットストリーム中のマージブロックインデックスを、隣接ブロックやｃｏ-ｌｏｃａｔｅｄブロックの情報を参照せずに復号することが可能になる。この場合、例えば、図２１のステップＳ３１４、ステップＳ３１５の処理を省略することが可能であり、可変長復号部３０１の処理量を削減できる。
【０１８６】
また、図２４は、マージブロック候補リストサイズをマージブロック候補数の最大値Ｍａｘに固定した場合のシンタックスの一例を示す図である。図２４のように、マージブロック候補リストサイズを２以上の固定数（例えば、マージブロック候補数の最大値Ｍａｘ）とする場合は、ＮｕｍＭｅｒｇｅＣａｎｄをシンタックスから削除できる。つまり、ＮｕｍＭｅｒｇｅＣａｎｄを用いずに、処理を行うことが可能になる。また、２以上の固定数（例えば、マージブロック候補数の最大値Ｍａｘ）を、ＳＰＳ（Ｓｅｑｕｅｎｃｅ Ｐａｒａｍｅｔｅｒ Ｓｅｔ）、ＰＰＳ（Ｐｉｃｔｕｒｅ Ｐａｒａｍｅｔｅｒ Ｓｅｔ）、または、スライスヘッダ等に埋め込まれた値を用いるようにしても構わない。これにより、復号対象ピクチャに応じて、２以上の固定数を切り替えることで、画像符号化装置１００からのビットストリームを正しく復号することができる。この場合は、ＳＰＳ、ＰＰＳ、または、スライスヘッダ等から２以上の固定数を復号し、その値を用いてマージブロックインデックスを復号するようにしても構わない。
【０１８７】
なお、本実施の形態では、図２０のステップＳ３０４において、マージブロック候補リストサイズに応じた可変長復号（図５参照）するとしたが、他のパラメータに応じて可変長符号化しても構わない。例えば、実施の形態１の画像符号化装置１００において、図１４ＡのステップＳ１１１（図１５Ａ）で算出したマージブロック候補数（マージ可能候補数＝第一の候補＋重複候補数）を用いる場合には、図２１に示す処理で算出されたマージブロック候補数を用いて可変長復号するようにしても構わない。この場合、図２２に示す処理を、ステップＳ３０５で実行しても構わない。
【０１８８】
ここで、図２１に示す処理では、マージブロック候補［Ｎ］が、（１）イントラ予測で復号されたブロック、または、（２）復号対象ブロックを含むスライスまたはピクチャ境界外に位置するブロック、または、（３）まだ復号されていないブロックであるかどうかに基づいて判定を行う。すなわち、予測方向、動きベクトルおよび参照ピクチャインデックスの情報を用いることなく、可変長復号に用いるマージブロック候補数を求めることが可能である。従って、予測方向、動きベクトルおよび参照ピクチャインデックスを求める処理と、マージブロックインデックスを求める処理とを独立して実行している場合には、予測方向、動きベクトルおよび参照ピクチャインデックスを求める処理の実行結果を待つことなく、マージブロックインデックスを求める処理を進めることができ、処理速度の向上を図ることが可能になる。
【０１８９】
（実施の形態１および実施の形態２の変形例）
上述した実施の形態１および実施の形態２において、マージブロック候補リストサイズを２以上の固定数とする場合において、マージブロック候補リストに空きがあるときは、エラー耐性を向上させるために、マージブロック候補リストの空き部分に所定のエラー耐性向上用のマージブロック候補（第二の候補）を入れるようにしてもよい。
【０１９０】
第二の候補としては、例えば、対象ピクチャ（符号化対象ピクチャまたは復号対象ピクチャ）がＢピクチャであれば、双方向予測で、予測方向０の参照ピクチャインデックスが０、動きベクトルが（０、０）のマージブロック候補と、予測方向１の参照ピクチャインデックスが０、動きベクトルが（０、０）のマージブロック候補とを第二の候補として割り当てるようにしても構わない。また、符号化対象ピクチャがＰピクチャであれば、片方向予測で、予測方向０の参照ピクチャインデックスが０、動きベクトルが（０、０）のマージブロック候補を第二の候補として割り当てるようにしても構わない。第二の候補は、エラー耐性を向上させるための候補であることから、複数の第二の候補を追加する場合でも、全て同じ値に設定しても良い。なお、第三の候補については、符号化効率を向上させるための候補であることから、複数の第三の候補を追加する場合には、異なる候補を追加する。ただし、第三の候補は、第一の候補および第二の候補との間では、結果として、同じ候補が存在していても良い。
【０１９１】
なお、第二の候補を割り当てる方法としては、（１）新規候補（第三の候補）の追加後に、空き候補に第二の候補を割り当てる、あるいは、（２）マージブロック候補リストの全ての要素に第二の候補を入れて初期化することが考えられる。
【０１９２】
先ず、画像符号化装置１００において、（１）新規候補（第三の候補）の追加後に、空き候補に第二の候補を割り当てる場合について説明する。
【０１９３】
ここで、図１３Ｂは、新規候補（第三の候補）の追加後に、空き候補に第二の候補を割り当てる場合のマージブロック候補リストを示す表である。図１３Ｂでは、マージブロック候補数の最大値Ｍａｘは６である場合について例示している。
【０１９４】
また、図１４Ｂは、図１２に示すステップＳ１０１の詳細な処理を示すフローチャートである。なお、図１４Ｂにおいて、ステップＳ１１１〜Ｓ１１４の処理は、実施の形態１の画像符号化装置１００における図１４ＡのステップＳ１１１〜Ｓ１１４の処理と同じであるため、説明を省略する。
【０１９５】
ステップＳ１１１〜Ｓ１１４では、画像符号化装置１００のマージブロック候補算出部１１４は、隣接ブロックから第一の候補を求め、マージ不可能候補および重複候補を削除後し、新規候補を加える。新規候補の追加後、図１３Ｂの（ｂ）に示すように、マージブロック候補数が６であるため、マージブロック候補［５］には、マージブロック候補が割り当たっていない。
【０１９６】
ステップＳ１１６では、マージブロック候補算出部１１４は、空の候補リストに第二の候補を割り振る。図１７は、図１４Ｂに示すステップＳ１１６詳細な処理を示すフローチャートである。
【０１９７】
ステップＳ１４１では、マージブロック候補算出部１１４は、マージブロック候補数がマージブロック候補リストサイズ（図１７では候補リストサイズと略称）より小さいか否かを判定する。つまり、空き要素があるか否かを判定する。
【０１９８】
ステップＳ１４１の判定結果が真ならば（ステップＳ１４１のＹｅｓ）、ステップＳ１４２において、マージブロック候補算出部１１４は、空き候補リスト（空き要素）に第二の候補を追加する。上述したように、新規候補の追加直後の場合、マージブロック候補［５］には、マージブロック候補が割り当たっていない。このときは、マージブロック候補算出部１１４は、マージブロック候補［５］に第二の候補を追加する。第二の候補としては、上述したように、例えば、双方向予測で、予測方向０の参照ピクチャインデックスが０、動きベクトルが（０、０）、予測方向１の参照ピクチャインデックスが０、動きベクトルが（０、０）のマージブロック候補としても構わない。さらに、ステップＳ１４３において、マージブロック候補算出部１１４は、マージブロック候補数に１を加算する。
【０１９９】
ステップＳ１４１の判定結果が偽ならば（ステップＳ１４１のＮｏ）、処理を終了する。
【０２００】
図１３Ｂの（ｃ）は、第二の候補追加後のマージブロック候補リストの一例を示す表である。
【０２０１】
次に、画像符号化装置１００において、（２）マージブロック候補リストの全ての要素に第二の候補を入れて初期化する場合について説明する。
【０２０２】
ここで、図１３Ｃは、マージブロック候補リストを第二の候補で初期化する場合のマージブロック候補リストを示す表である。図１３Ｃでは、マージブロック候補数の最大値Ｍａｘは６である場合について例示している。
【０２０３】
また、図１４Ｃは、図１２に示すステップＳ１０１の詳細な処理を示すフローチャートである。
【０２０４】
ステップＳ１１７では、マージブロック候補算出部１１４は、マージブロック候補リスト（候補リスト）を初期化する。図１３Ｃの（ａ）は、初期化後の候補リストの一例を示している。図１３Ｃの（ａ）では、マージブロック候補［０］〜［５］の全てに第二の候補が入っている。なお、図１３Ｃの（ａ）では明示していないが、第二の候補は、全て同じである。
【０２０５】
ステップＳ１１８では、マージブロック候補算出部１１４は、第一の候補を導出し、第一の候補の数をマージブロック候補数として更新する。Ｎ１は、隣接ブロックを示す値である。ここでは、隣接ブロックは、隣接ブロックＡ〜Ｄおよびｃｏ−ｌｏｃａｔｅｄマージブロックの６つであることから、０〜５で規定される。また、ここでの第一の候補は、マージ不可能候補や重複候補を除いた候補である。さらに、マージブロック候補算出部１１４は、第一の候補を候補リストに追加し、動きベクトル、参照ピクチャインデックス、および予測方向を取得する。図１３Ｃの（ｂ）は、第一の候補追加後のマージブロック候補リストを示す表である。
【０２０６】
ステップＳ１１４では、マージブロック候補算出部１１４は、実施の形態１と同じ方法で、新規候補を追加する。図１３Ｃの（ｃ）は、新規候補追加後のマージブロック候補リストを示す表である。
【０２０７】
図１５Ｂは、図１４ＣのステップＳ１１８の詳細な処理を示すフローチャートである。
【０２０８】
ステップＳ１２６では、マージブロック候補算出部１１４は、隣接ブロックが、（１）イントラ予測で符号化されたブロック、または、（２）符号化対象ブロックを含むスライスまたはピクチャ境界外に位置するブロック、または、（３）まだ符号化されていないブロック、または、（４）既に候補リストに追加されたマージブロック候補の何れかと同じ予測方向、動きベクトルおよび参照ピクチャインデックスを持つブロック（重複候補）であるかどうかを判定する。
【０２０９】
ステップＳ１２６の判定結果が真の場合（ステップＳ１２６のＹｅｓ）、マージブロック候補算出部１１４は、マージ不可能候補であると判定する。一方、ステップＳ１２６の判定結果が偽の場合（ステップＳ１２６のＮｏ）、マージブロック候補算出部１１４は、マージ可能候補であると判定する。
【０２１０】
ステップＳ１２４では、隣接ブロックに対するステップＳ１２６の判定結果が、マージ可能候補である場合、または、隣接ブロックがｃｏ−ｌｏｃａｔｅｄマージブロックである場合は、マージブロック候補リストに、マージブロック候補を追加し、マージブロック候補数に１を加算する。
【０２１１】
なお、図１３Ｃの（ｃ）は、図１３Ｂの（ｃ）と同じであり、新規候補追加後に、第二の候補を追加する場合でも、最初にマージブロック候補リストを第二の候補で初期化する場合でも、同じマージブロック候補リストを得ることができる。
【０２１２】
画像復号装置３００においても、同様の方法でマージブロック候補リストを作成することにより、マージブロックインデックスを正常に復号することが可能になる。
【０２１３】
マージブロック候補リストに空き要素がある場合、画像復号装置３００においてマージブロック候補の重複候補の削除に誤りが発生し、重複候補が削除されずに残ってしまう可能性がある。この場合、マージブロック候補リストサイズが、２以上の固定数である場合は、マージブロック候補リストに、マージブロック候補が割り当たっていない候補が存在する可能性がある。
【０２１４】
当該変形例では、全ての空き候補リストに第二の候補を追加するので、マージブロック候補が割り当たっていない候補が存在するという状況を回避することができる。
【０２１５】
なお、本変形例では、マージブロック候補が割り当たっていないマージブロックインデックスに、参照ピクチャが０、動きベクトルが（０、０）のマージブロック候補（第二の候補）を割り当てる例を示したが、必ずしもこれには限らない。他の第二の候補としては、例えば、他の隣接ブロックの参照ピクチャインデックス、動きベクトル、および予測方向をコピーして、マージブロック候補とするようにしても構わない。また、隣接ブロックから得られる候補の平均をとるなど、隣接ブロックから得られる候補から生成するようにしても構わない。
【０２１６】
なお、上記変形例では、第二の候補を割り当てる方法として、（１）新規候補（第三の候補）の追加後に、空き候補に第二の候補を割り当てる、あるいは、（２）マージブロック候補リストの全ての要素に第二の候補を入れて初期化する方法について説明したが、これに限るものではない。
【０２１７】
例えば、画像復号装置３００では、図２０のステップＳ３０６において、復号したマージブロックインデックスにマージブロック候補が割り当たっていないかどうかを判定し、判定結果が真ならば、第二の候補を追加するようにしても構わない。つまり、ステップＳ３０５において、空き要素のないマージブロック候補リストを作成するのではなく、復号したマージブロックインデックスが示す要素が空き要素の場合にのみ、当該空き要素についてのみ第二の候補を追加するようにしても構わない。この場合は、処理量を削減できる。
【０２１８】
なお、第二の候補としては、参照ピクチャが０、動きベクトルが（０、０）のマージブロック候補や、他のマージブロックインデックスに割り当てられたマージブロック候補、あるいは、他のマージブロックインデックスに割り当てられたマージブロック候補から生成したマージブロック候補等を用いても構わない。
【０２１９】
また、例えば、画像復号装置３００では、図２０のステップＳ３０６において、復号したマージブロックインデックスが、ステップＳ３０３で求めたマージブロック候補数以上であるかどうかを判定し、判定結果が真ならば、第二の候補を追加するようにしても構わない。つまり、復号したマージブロックインデックスが、ステップＳ３０３で求めたマージブロック候補数以下の場合には、第二の候補を追加する処理を省略するようにしても構わない。この場合は、処理量を削減できる。
【０２２０】
なお、第二の候補としては、参照ピクチャが０、動きベクトルが（０、０）のマージブロック候補や、他のマージブロックインデックスに割り当てられたマージブロック候補、あるいは、他のマージブロックインデックスに割り当てられたマージブロック候補から生成したマージブロック候補等を用いても構わない。
【０２２１】
また、例えば、画像復号装置３００では、図２０のステップＳ３０６において、復号したマージブロックインデックスが、ステップＳ３０３で求めたマージブロック候補数以上であるかどうかを判定し、判定結果が真ならば、マージブロックインデックスがマージブロック候補数より小さい値になるように、マージブロックインデックスの値をマージブロック候補数の値でクリッピングするようにしても構わない。
【０２２２】
本実施の形態の画像符号化装置１００および画像復号装置３００によれば、このような処理を実行することにより、例えば、マージブロックインデックスを正常に復号できた場合において、マージブロック候補の重複候補の削除に誤りが発生したときでも、復号したマージブロックインデックスにマージブロック候補が割り当たっていないという状況を回避することができる。これにより、エラー耐性を向上させることが可能になる。
【０２２３】
（実施の形態３）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【０２２４】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【０２２５】
図２５は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０２２６】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０２２７】
しかし、コンテンツ供給システムex１００は図２５のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０２２８】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（登録商標）（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０２２９】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い（即ち、本発明の一態様に係る画像符号化装置として機能する）、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号化することが可能な、コンピュータex１１１、ＰＤＡex１１２、カメラex１１３、携帯電話ex１１４、ゲーム機ex１１５等がある。配信されたデータを受信した各機器では、受信したデータを復号化処理して再生する（即ち、本発明の一態様に係る画像復号装置として機能する）。
【０２３０】
なお、撮影したデータの符号化処理はカメラex１１３で行っても、データの送信処理をするストリーミングサーバex１０３で行ってもよいし、互いに分担して行ってもよい。同様に配信されたデータの復号化処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０２３１】
また、これら符号化・復号化処理は、一般的にコンピュータex１１１や各機器が有するＬＳＩex５００において処理する。ＬＳＩex５００は、ワンチップであっても複数チップからなる構成であってもよい。なお、動画像符号化・復号化用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０２３２】
また、ストリーミングサーバex１０３は複数のサーバや複数のコンピュータであって、データを分散して処理したり記録したり配信するものであってもよい。
【０２３３】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号化し、再生することができ、特別な権利や設備を有さないユーザでも個人放送を実現できる。
【０２３４】
なお、コンテンツ供給システムex１００の例に限らず、図２６に示すように、デジタル放送用システムex２００にも、上記各実施の形態の少なくとも動画像符号化装置（画像符号化装置）または動画像復号化装置（画像復号装置）のいずれかを組み込むことができる。具体的には、放送局ex２０１では映像データに音楽データなどが多重化された多重化データが電波を介して通信または衛星ex２０２に伝送される。この映像データは上記各実施の形態で説明した動画像符号化方法により符号化されたデータである（即ち、本発明の一態様に係る画像符号化装置によって符号化されたデータである）。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号化して再生する（即ち、本発明の一態様に係る画像復号装置として機能する）。
【０２３５】
また、ＤＶＤ、ＢＤ等の記録メディアex２１５に記録した多重化データを読み取り復号化する、または記録メディアex２１５に映像信号を符号化し、さらに場合によっては音楽信号と多重化して書き込むリーダ／レコーダex２１８にも上記各実施の形態で示した動画像復号化装置または動画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に動画像復号化装置を実装し、これをテレビのモニタex２１９で表示してもよい。このときセットトップボックスではなく、テレビ内に動画像復号化装置を組み込んでもよい。
【０２３６】
図２７は、上記各実施の形態で説明した動画像復号化方法および動画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０２３７】
また、テレビex３００は、音声データ、映像データそれぞれを復号化する、またはそれぞれの情報を符号化する音声信号処理部ex３０４、映像信号処理部ex３０５（本発明の一態様に係る画像符号化装置または画像復号装置として機能する）を有する信号処理部ex３０６と、復号化した音声信号を出力するスピーカex３０７、復号化した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０２３８】
まず、テレビex３００がアンテナex２０４等により外部から取得した多重化データを復号化し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号化し、分離した映像データを映像信号処理部ex３０５で上記各実施の形態で説明した復号化方法を用いて復号化する。復号化した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０２３９】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号化処理、外部出力のみが可能な構成であってもよい。
【０２４０】
また、リーダ／レコーダex２１８で記録メディアから多重化データを読み出す、または書き込む場合には、上記復号化処理または符号化処理はテレビex３００、リーダ／レコーダex２１８のいずれで行ってもよいし、テレビex３００とリーダ／レコーダex２１８が互いに分担して行ってもよい。
【０２４１】
一例として、光ディスクからデータの読み込みまたは書き込みをする場合の情報再生／記録部ex４００の構成を図２８に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０２４２】
以上では、光ヘッドex４０１はレーザスポットを照射するとして説明したが、近接場光を用いてより高密度な記録を行う構成であってもよい。
【０２４３】
図２９に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０２４４】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０２４５】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図２７に示す構成のうち、ＧＰＳ受信部を加えた構成が考えられ、同様なことがコンピュータex１１１や携帯電話ex１１４等でも考えられる。
【０２４６】
図３０Ａは、上記実施の形態で説明した動画像復号化方法および動画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号化されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号化されたデータを保存するメモリ部ex３６７、又は同様にデータを保存する記録メディアとのインタフェース部であるスロット部ex３６４を備える。
【０２４７】
さらに、携帯電話ex１１４の構成例について、図３０Ｂを用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０２４８】
電源回路部ex３６１は、ユーザの操作により終話及び電源キーがオン状態にされると、バッテリパックから各部に対して電力を供給することにより携帯電話ex１１４を動作可能な状態に起動する。
【０２４９】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０２５０】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０２５１】
データ通信モード時に映像、静止画、または映像と音声を送信する場合、映像信号処理部ex３５５は、カメラ部ex３６５から供給された映像信号を上記各実施の形態で示した動画像符号化方法によって圧縮符号化し（即ち、本発明の一態様に係る画像符号化装置として機能する）、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０２５２】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０２５３】
データ通信モード時にホームページ等にリンクされた動画像ファイルのデータを受信する場合、または映像およびもしくは音声が添付された電子メールを受信する場合、アンテナex３５０を介して受信された多重化データを復号化するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した動画像符号化方法に対応した動画像復号化方法によって復号化することにより映像信号を復号し（即ち、本発明の一態様に係る画像復号装置として機能する）、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０２５４】
また、上記携帯電話ex１１４等の端末は、テレビex３００と同様に、符号化器・復号化器を両方持つ送受信型端末の他に、符号化器のみの送信端末、復号化器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０２５５】
このように、上記各実施の形態で示した動画像符号化方法あるいは動画像復号化方法を上述したいずれの機器・システムに用いることは可能であり、そうすることで、上記各実施の形態で説明した効果を得ることができる。
【０２５６】
また、本発明はかかる上記実施の形態に限定されるものではなく、本発明の範囲を逸脱することなく種々の変形または修正が可能である。
【０２５７】
（実施の形態４）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０２５８】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０２５９】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【０２６０】
図３１は、多重化データの構成を示す図である。図３１に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０２６１】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０２６２】
図３２は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０２６３】
図３３は、ＰＥＳパケット列に、ビデオストリームがどのように格納されるかをさらに詳しく示している。図３３における第１段目はビデオストリームのビデオフレーム列を示す。第２段目は、ＰＥＳパケット列を示す。図３３の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０２６４】
図３４は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図３４下段に示すようにソースパケットが並ぶこととなり、多重化データの先頭からインクリメントする番号はＳＰＮ（ソースパケットナンバー）と呼ばれる。
【０２６５】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０２６６】
図３５はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０２６７】
記録媒体などに記録する場合には、上記多重化データは、多重化データ情報ファイルと共に記録される。
【０２６８】
多重化データ情報ファイルは、図３６に示すように多重化データの管理情報であり、多重化データと１対１に対応し、多重化データ情報、ストリーム属性情報とエントリマップから構成される。
【０２６９】
多重化データ情報は図３６に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０２７０】
ストリーム属性情報は図３７に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０２７１】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０２７２】
また、本実施の形態における動画像復号化方法のステップを図３８に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップexＳ１０２において、上記各実施の形態で示した動画像復号方法により復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。
【０２７３】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【０２７４】
（実施の形態５）
上記各実施の形態で示した動画像符号化方法および装置、動画像復号化方法および装置は、典型的には集積回路であるＬＳＩで実現される。一例として、図３９に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０２７５】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０２７６】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０２７７】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０２７８】
なお、ここでは、ＬＳＩとしたが、集積度の違いにより、ＩＣ、システムＬＳＩ、スーパーＬＳＩ、ウルトラＬＳＩと呼称されることもある。
【０２７９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２８０】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０２８１】
（実施の形態６）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０２８２】
この課題を解決するために、テレビex３００、ＬＳＩex５００などの動画像復号化装置は、映像データがどの規格に準拠するものであるかを識別し、規格に応じて駆動周波数を切替える構成とする。図４０は、本実施の形態における構成ex８００を示している。駆動周波数切替え部ex８０３は、映像データが、上記各実施の形態で示した動画像符号化方法または装置によって生成されたものである場合には、駆動周波数を高く設定する。そして、上記各実施の形態で示した動画像復号化方法を実行する復号処理部ex８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ex８０２に対し、映像データを復号するよう指示する。
【０２８３】
より具体的には、駆動周波数切替え部ex８０３は、図３９のＣＰＵex５０２と駆動周波数制御部ex５１２から構成される。また、上記各実施の形態で示した動画像復号化方法を実行する復号処理部ex８０１、および、従来の規格に準拠する復号処理部ex８０２は、図３９の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態４で記載した識別情報を利用することが考えられる。識別情報に関しては、実施の形態４で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図４２のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０２８４】
図４１は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０２８５】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０２８６】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０２８７】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した動画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した動画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０２８８】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０２８９】
（実施の形態７）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０２９０】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図４３Ａのex９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明の一態様に特有の他の処理内容については、専用の復号処理部ex９０１を用いるという構成が考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０２９１】
また、処理を一部共有化する他の例を図４３Ｂのex１０００に示す。この例では、本発明の一態様に特有の処理内容に対応した専用の復号処理部ex１００１と、他の従来規格に特有の処理内容に対応した専用の復号処理部ex１００２と、本発明の一態様に係る動画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明の一態様、または、他の従来規格に特有の処理内容に特化したものではなく、他の汎用処理を実行できるものであってもよい。また、本実施の形態の構成を、ＬＳＩex５００で実装することも可能である。
【０２９２】
このように、本発明の一態様に係る動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０２９３】
本発明の一態様に係る画像復号方法および画像符号化方法は、動画像の復号方法および符号化方法に有利に利用される。
【符号の説明】
【０２９４】
１００  画像符号化装置
１０１  減算部
１０２  直交変換部
１０３  量子化部
１０４、３０２  逆量子化部
１０５、３０３  逆直交変換部
１０６、３０４  加算部
１０７、３０５  ブロックメモリ
１０８、３０６  フレームメモリ
１０９、３０７  イントラ予測部
１１０、３０８  インター予測部
１１１、３０９  インター予測制御部
１１３、３１０  スイッチ
１１４、３１１  マージブロック候補算出部
１１５、３１２  ｃｏｌＰｉｃメモリ
１１６  可変長符号化部
３００  画像復号装置
３０１  可変長復号部
【図１Ａ】
0005937594.tif 000002
【図１Ｂ】
0005937594.tif 000003
【図１Ｃ】
0005937594.tif 000004
【図２】
0005937594.tif 000005
【図３】
0005937594.tif 000006
【図４】
0005937594.tif 000007
【図５】
0005937594.tif 000008
【図６】
0005937594.tif 000009
【図７】
0005937594.tif 000010
【図８】
0005937594.tif 000011
【図９】
0005937594.tif 000012
【図１０】
0005937594.tif 000013
【図１１】
0005937594.tif 000014
【図１２】
0005937594.tif 000015
【図１３Ａ】
0005937594.tif 000016
【図１３Ｂ】
0005937594.tif 000017
【図１３Ｃ】
0005937594.tif 000018
【図１４Ａ】
0005937594.tif 000019
【図１４Ｂ】
0005937594.tif 000020
【図１４Ｃ】
0005937594.tif 000021
【図１５Ａ】
0005937594.tif 000022
【図１５Ｂ】
0005937594.tif 000023
【図１６】
0005937594.tif 000024
【図１７】
0005937594.tif 000025
【図１８】
0005937594.tif 000026
【図１９】
0005937594.tif 000027
【図２０】
0005937594.tif 000028
【図２１】
0005937594.tif 000029
【図２２】
0005937594.tif 000030
【図２３】
0005937594.tif 000031
【図２４】
0005937594.tif 000032
【図２５】
0005937594.tif 000033
【図２６】
0005937594.tif 000034
【図２７】
0005937594.tif 000035
【図２８】
0005937594.tif 000036
【図２９】
0005937594.tif 000037
【図３０Ａ】
0005937594.tif 000038
【図３０Ｂ】
0005937594.tif 000039
【図３１】
0005937594.tif 000040
【図３２】
0005937594.tif 000041
【図３３】
0005937594.tif 000042
【図３４】
0005937594.tif 000043
【図３５】
0005937594.tif 000044
【図３６】
0005937594.tif 000045
【図３７】
0005937594.tif 000046
【図３８】
0005937594.tif 000047
【図３９】
0005937594.tif 000048
【図４０】
0005937594.tif 000049
【図４１】
0005937594.tif 000050
【図４２】
0005937594.tif 000051
【図４３Ａ】
0005937594.tif 000052
【図４３Ｂ】
0005937594.tif 000053